(57)【特許請求の範囲】
【請求項１】
チャネル状態情報（ＣＳＩ）報告バンドを設定する方法であって、
送信側デバイスにより送出される報告サブバンド設定情報を受信側デバイスが受信する段階であって、前記報告サブバンド設定情報は、ＣＳＩサブバンドの個数を示し、かつ通常のＣＳＩサブバンドにおけるリソースブロックの実際の個数を示し、前記ＣＳＩサブバンドはバンド幅部分（ＢＷＰ）における前記ＣＳＩ報告バンドに属し、前記ＣＳＩ報告バンドが、最初および最後のＣＳＩサブバンドと少なくとも１つの前記通常のＣＳＩサブバンドとを備える、段階と、
前記報告サブバンド設定情報に基づいて、前記ＣＳＩサブバンドの個数を前記受信側デバイスが決定する段階と、
前記通常のＣＳＩサブバンドにおける前記リソースブロックの実際の個数に基づいて前記最初および最後のＣＳＩサブバンドのそれぞれにおけるリソースブロックの実際の個数を前記受信側デバイスが決定する段階であって、前記最初のＣＳＩサブバンドにおける前記リソースブロックの実際の個数は、前記通常のＣＳＩサブバンドにおける前記リソースブロックの実際の個数から、ｍｏｄ（［前記ＢＷＰにおける初期リソースブロックのインデックス番号］、［前記通常のＣＳＩサブバンドにおける前記リソースブロックの実際の個数］）を引いたものに等しい、段階と、
を備える方法。
【請求項２】
前記報告サブバンド設定情報はさらに、前記ＣＳＩサブバンドが報告サブバンドであるか又は非報告サブバンドであるかを情報ビットを用いて示し、情報ビットの個数は、前記ＣＳＩ報告バンドに含まれる前記ＣＳＩサブバンドの個数と同じである、請求項１に記載の方法。
【請求項３】
前記最後のＣＳＩサブバンドにおけるリソースブロックの実際の個数を前記受信側デバイスが決定する前記段階は、
リソースブロックの剰余を前記受信側デバイスが決定する段階であって、前記リソースブロックの剰余は、ｍｏｄ（（［前記ＢＷＰにおける前記初期リソースブロックの前記インデックス番号］＋［前記ＢＷＰにおけるリソースブロックの総数］），［前記通常のＣＳＩサブバンドにおける前記リソースブロックの実際の個数］）と等しい、段階を含み、
前記最後のＣＳＩサブバンドにおける前記リソースブロックの実際の個数は、
前記リソースブロックの剰余が０より多い場合には前記リソースブロックの剰余と等しく、又は、
前記リソースブロックの剰余が０に等しい場合には前記通常のＣＳＩサブバンドにおける前記リソースブロックの実際の個数と等しい、請求項１または２に記載の方法。
【請求項４】
ネットワークデバイスにより送出される、報告サブバンド設定情報を受信するように構成された送受信機であって、前記報告サブバンド設定情報は、ＣＳＩサブバンドの個数を示し、かつ通常のＣＳＩサブバンドにおけるリソースブロックの実際の個数を示し、前記ＣＳＩサブバンドはバンド幅部分（ＢＷＰ）におけるＣＳＩ報告バンドに属し、前記ＣＳＩ報告バンドが、最初および最後のＣＳＩサブバンドと少なくとも１つの前記通常のＣＳＩサブバンドとを備える、送受信機と、
前記報告サブバンド設定情報に基づいて、前記ＣＳＩ報告バンドに含まれる前記ＣＳＩサブバンドの個数を決定するように構成されたプロセッサであって、前記通常のＣＳＩサブバンドにおける前記リソースブロックの実際の個数に基づいて前記最初および最後のＣＳＩサブバンドのそれぞれにおけるリソースブロックの実際の個数を決定し、前記最初のＣＳＩサブバンドにおける前記リソースブロックの実際の個数は、前記通常のＣＳＩサブバンドにおける前記リソースブロックの実際の個数から、ｍｏｄ（［前記ＢＷＰにおける初期リソースブロックのインデックス番号］、［前記通常のＣＳＩサブバンドにおける前記リソースブロックの実際の個数］）を引いたものに等しい、プロセッサと、
を備える受信側デバイス。
【請求項５】
前記報告サブバンド設定情報はさらに、前記ＣＳＩサブバンドが報告サブバンドであるか又は非報告サブバンドであるかを情報ビットを用いて示し、情報ビットの個数は、前記ＣＳＩ報告バンドに含まれる前記ＣＳＩサブバンドの個数と同じである、請求項４に記載の受信側デバイス。
【請求項６】
前記最後のＣＳＩサブバンドにおけるリソースブロックの実際の個数を決定することは、
リソースブロックの剰余を決定することであって、前記リソースブロックの剰余は、ｍｏｄ（（［前記ＢＷＰにおける前記初期リソースブロックの前記インデックス番号］＋［前記ＢＷＰにおけるリソースブロックの総数］），［前記通常のＣＳＩサブバンドにおける前記リソースブロックの実際の個数］）と等しい、決定することを含み、
前記最後のＣＳＩサブバンドにおける前記リソースブロックの実際の個数は、
前記リソースブロックの剰余が０より多い場合には前記リソースブロックの剰余と等しく、又は、
前記リソースブロックの剰余が０に等しい場合には前記通常のＣＳＩサブバンドにおける前記リソースブロックの実際の個数と等しい、請求項４または５に記載の受信側デバイス。
【請求項７】
チャネル状態情報（ＣＳＩ）報告バンドを設定する方法であって、
バンド幅部分（ＢＷＰ）におけるリソースブロックの総数に基づいて、前記ＢＷＰにおける前記ＣＳＩ報告バンドに属する通常のＣＳＩサブバンドにおけるリソースブロックの実際の個数を送信側デバイスが決定する段階であって、前記ＣＳＩ報告バンドが、最初および最後のＣＳＩサブバンドと少なくとも１つの前記通常のＣＳＩサブバンドとを備える、段階と、
前記通常のＣＳＩサブバンドにおける前記リソースブロックの実際の個数に基づいて前記最初および最後のＣＳＩサブバンドのそれぞれにおけるリソースブロックの実際の個数を前記送信側デバイスが決定する段階であって、前記最初のＣＳＩサブバンドにおける前記リソースブロックの実際の個数は、前記通常のＣＳＩサブバンドにおける前記リソースブロックの実際の個数から、ｍｏｄ（［前記ＢＷＰにおける初期リソースブロックのインデックス番号］、［前記通常のＣＳＩサブバンドにおける前記リソースブロックの実際の個数］）を引いたものに等しい、段階と、
前記バンド幅部分（ＢＷＰ）と、前記通常のＣＳＩサブバンドにおける前記リソースブロックの実際の個数とに基づいて、前記ＣＳＩ報告バンドに含まれるＣＳＩサブバンドの個数を前記送信側デバイスが決定する段階と、
報告サブバンド設定情報を受信側デバイスへ前記送信側デバイスが送信する段階であって、前記報告サブバンド設定情報が、前記ＣＳＩサブバンドの個数および前記ＣＳＩ報告バンドに属する前記通常のＣＳＩサブバンドにおける前記リソースブロックの実際の個数を示す、段階と、
を備える方法。
【請求項８】
前記報告サブバンド設定情報はさらに、前記ＣＳＩサブバンドが報告サブバンドであるか又は非報告サブバンドであるかを情報ビットを用いて示し、前記情報ビットの個数は前記ＣＳＩ報告バンドに含まれる前記ＣＳＩサブバンドの個数と同じである、
請求項７に記載の方法。
【請求項９】
前記バンド幅部分（ＢＷＰ）と、前記通常のＣＳＩサブバンドにおける前記リソースブロックの実際の個数とに基づいて、前記ＣＳＩ報告バンドに含まれる前記ＣＳＩサブバンドの個数を前記送信側デバイスが決定する前記段階は、
前記送信側デバイスが、前記バンド幅部分（ＢＷＰ）に基づいて、チャネル状態情報サブバンドサイズを決定する段階、及び、
前記送信側デバイスが、前記バンド幅部分（ＢＷＰ）に含まれるリソースブロックの総数を前記チャネル状態情報サブバンドサイズで除算し、次に、前記除算の結果より大きいかそれに等しい最小の整数を計算して、前記ＣＳＩ報告バンドに含まれる前記ＣＳＩサブバンドの個数を求める段階、
を含む、請求項７または８に記載の方法。
【請求項１０】
前記最後のＣＳＩサブバンドにおけるリソースブロックの実際の個数を前記送信側デバイスが決定する前記段階は、
前記送信側デバイスがリソースブロックの剰余を決定する段階であって、前記リソースブロックの剰余は、ｍｏｄ（（［前記ＢＷＰにおける前記初期リソースブロックの前記インデックス番号］＋［前記ＢＷＰにおけるリソースブロックの総数］），［前記通常のＣＳＩサブバンドにおけるリソースブロックの実際の個数］）と等しい、段階を含み、
前記最後のＣＳＩサブバンドにおける前記リソースブロックの実際の個数は、
前記リソースブロックの剰余が０より多い場合には前記リソースブロックの剰余と等しく、又は、
前記リソースブロックの剰余が０に等しい場合には前記通常のＣＳＩサブバンドにおける前記リソースブロックの実際の個数と等しい、請求項７から９のいずれか一項に記載の方法。
【請求項１１】
プロセッサと送受信機とを備える送信側デバイスであって、
前記プロセッサは、バンド幅部分（ＢＷＰ）におけるリソースブロックの総数に基づいて前記ＢＷＰにおけるＣＳＩ報告バンドに属する通常のＣＳＩサブバンドにおけるリソースブロックの実際の個数を決定するように構成され、前記ＣＳＩ報告バンドが、最初および最後のＣＳＩサブバンドと少なくとも１つの前記通常のＣＳＩサブバンドとを備え、
前記プロセッサは、前記通常のＣＳＩサブバンドにおける前記リソースブロックの実際の個数に基づいて前記最初および最後のＣＳＩサブバンドのそれぞれにおけるリソースブロックの実際の個数を決定するように構成され、前記最初のＣＳＩサブバンドにおける前記リソースブロックの実際の個数は、前記通常のＣＳＩサブバンドにおける前記リソースブロックの実際の個数から、ｍｏｄ（［前記ＢＷＰにおける初期リソースブロックのインデックス番号］、［前記通常のＣＳＩサブバンドにおける前記リソースブロックの実際の個数］）を引いたものに等しく、
前記プロセッサは、前記バンド幅部分（ＢＷＰ）と、前記通常のＣＳＩサブバンドにおける前記リソースブロックの実際の個数とに基づいて、前記ＣＳＩ報告バンドに含まれるＣＳＩサブバンドの個数を決定するように構成され、
前記送受信機は、報告サブバンド設定情報を受信側デバイスへ送信するように構成され、前記報告サブバンド設定情報が、前記ＣＳＩサブバンドの個数および前記ＣＳＩ報告バンドに属する前記通常のＣＳＩサブバンドにおける前記リソースブロックの実際の個数を示す、
送信側デバイス。
【請求項１２】
前記報告サブバンド設定情報はさらに、前記ＣＳＩサブバンドが報告サブバンドであるか又は非報告サブバンドであるかを情報ビットを用いて示し、前記情報ビットの個数は前記ＣＳＩ報告バンドに含まれる前記ＣＳＩサブバンドの個数と同じである、
請求項１１に記載の送信側デバイス。
【請求項１３】
前記バンド幅部分（ＢＷＰ）と、前記通常のＣＳＩサブバンドにおける前記リソースブロックの実際の個数とに基づいて、前記ＣＳＩ報告バンドに含まれる前記ＣＳＩサブバンドの個数を前記決定することは、
前記バンド幅部分（ＢＷＰ）に基づいて、チャネル状態情報サブバンドサイズを決定すること、及び、
前記バンド幅部分（ＢＷＰ）に含まれるリソースブロックの総数を前記チャネル状態情報サブバンドサイズで除算し、次に、前記除算の結果より大きいかそれに等しい最小の整数を計算して、前記ＣＳＩ報告バンドに含まれる前記ＣＳＩサブバンドの個数を求めること、
を含む、請求項１１または１２に記載の送信側デバイス。
【請求項１４】
前記最後のＣＳＩサブバンドにおけるリソースブロックの実際の個数を前記決定することは、
リソースブロックの剰余を決定することであって、前記リソースブロックの剰余は、ｍｏｄ（（［前記ＢＷＰにおける前記初期リソースブロックの前記インデックス番号］＋［前記ＢＷＰにおけるリソースブロックの総数］），［前記通常のＣＳＩサブバンドにおけるリソースブロックの実際の個数］）と等しい、決定することを含み、
前記最後のＣＳＩサブバンドにおける前記リソースブロックの実際の個数は
前記リソースブロックの剰余が０より多い場合には前記リソースブロックの剰余と等しく、又は、
前記リソースブロックの剰余が０に等しい場合には前記通常のＣＳＩサブバンドにおける前記リソースブロックの実際の個数と等しい、請求項１１から１３のいずれか一項に記載の送信側デバイス。
【請求項１５】
コンピュータプログラムをメモリから呼び出し、前記コンピュータプログラムを実行すように構成されたプロセッサ及びインタフェースを備えるチップであって、前記チップが組み込まれたデバイスは、請求項１から３及び７から１０のいずれか一項に記載の方法を実行する、チップ。
【請求項１６】
請求項１から３及び７から１０のいずれか一項に記載の方法をコンピュータに実行させるための、コンピュータプログラム。
【請求項１７】
請求項１１から１４のいずれか一項に記載の送信側デバイスと、請求項４から６のいずれか一項に記載の受信側デバイスとを備える、通信システム。
【発明の詳細な説明】
【技術分野】
【０００１】
本出願は、２０１８年１月１２日に中国特許庁に出願された「チャネル状態情報報告バンドの設定方法及び通信装置（ＭＥＴＨＯＤ  ＦＯＲ  ＣＯＮＦＩＧＵＲＩＮＧ  ＣＨＡＮＮＥＬ  ＳＴＡＴＥ  ＩＮＦＯＲＭＡＴＩＯＮ  ＲＥＰＯＲＴＩＮＧ  ＢＡＮＤ  ＡＮＤ  ＣＯＭＭＵＮＩＣＡＴＩＯＮＳ  ＡＰＰＡＲＡＴＵＳ）」と題する中国特許出願第２０１８１００３２７１１．５号に基づく優先権を主張するものであり、当該中国特許出願はその全体が参照により本明細書に組み込まれる。本発明の実施形態は通信技術に関するものであり、詳細には、チャネル状態情報報告バンドの設定方法、送信側デバイス、及び受信側デバイスに関するものである。
【背景技術】
【０００２】
チャネル測定によってチャネル状態情報（ｃｈａｎｎｅｌ  ｓｔａｔｅ  ｉｎｆｏｒｍａｔｉｏｎ、ＣＳＩ）を取得することは、無線通信の伝送品質を向上させるのに非常に重要である。チャネル測定では、受信側デバイス（例えば、スマートフォンなどのユーザ機器）が、送信側デバイス（例えば、基地局などのアクセスデバイス）により送信される参照信号（ｒｅｆｅｒｅｎｃｅ  ｓｉｇｎａｌ、ＲＳ）に基づいてチャネル状態情報を取得し、取得したＣＳＩを送信側デバイスにフィードバックする。送信側デバイスは、ＣＳＩに基づいて送信信号を処理し、処理した送信信号を受信側デバイスに送出する。上記のことから、ＣＳＩに基づく無線伝送はチャネル環境とより互換性が高いことが分かる。したがって、伝送品質がより優れている。
【０００３】
ＣＳＩは通常、物理アップリンク共有チャネル（ｐｈｙｓｉｃａｌ  ｕｐｌｉｎｋ  ｓｈａｒｅｄ  ｃｈａｎｎｅｌ、ＰＵＳＣＨ）を用いて、受信側デバイスから送信側デバイスに送出され得る。ＰＵＳＣＨを用いて送信されるＣＳＩは、広帯域ＣＳＩを含んでもよく、又は複数のサブバンドＣＳＩを含んでもよく、又は広帯域ＣＳＩ及び複数のサブバンドＣＳＩを両方とも含んでよい。広帯域ＣＳＩは、広帯域に基づく計算によって求められたＣＳＩと理解されてよく、サブバンドＣＳＩは、サブバンドに基づく計算によって求められたＣＳＩと理解されてよい。
【０００４】
通常、ネットワークデバイスは、ＣＳＩ報告バンドに含まれるサブバンドを端末に示す必要があり、端末は、示されたＣＳＩ報告バンドでＣＳＩ報告を行う。ＣＳＩ報告バンド内のサブバンドのサイズ及び個数が設定される必要がある。
【０００５】
先行技術では、ＣＳＩ報告バンドに含まれるサブバンドの個数は、システムバンド幅に基づいて設定される。しかしながら、ネットワークの進化によって、この方式を用いて、ＣＳＩ報告バンドに含まれるサブバンドの個数を設定することはできない。
【発明の概要】
【０００６】
このような事情を考慮して、チャネル状態情報報告バンドを設定して報告する方法、及び対応する装置を提供し、ネットワーク進化要件を満たすことが必要である。
【０００７】
本発明の実施形態の第１の態様によれば、チャネル状態情報報告バンド（ＣＳＩ  ｒｅｐｏｒｔｉｎｇ  ｂａｎｄ）を設定する方法が提供され、本方法は、バンド幅部分（Ｂａｎｄｗｉｄｔｈ  Ｐａｒｔ、ＢＷＰ）に基づいてチャネル状態情報サブバンドサイズを決定する段階と、キャリアコンポーネント（ＣＣ）バンド幅又はバンド幅部分（ＢＷＰ）又はチャネル状態情報参照信号（ｃｈａｎｎｅｌ  ｓｔａｔｅ  ｉｎｆｏｒｍａｔｉｏｎ  ｒｅｆｅｒｅｎｃｅ  ｓｉｇｎａｌ、ＣＳＩ−ＲＳ）バンド幅と、チャネル状態情報サブバンドサイズとに基づいて、チャネル状態情報報告バンドに含まれるチャネル状態情報サブバンドの個数を決定する段階とを含む。
【０００８】
チャネル状態情報サブバンドサイズは、チャネル状態情報サブバンドに含まれるリソースブロックの最大個数であり、チャネル状態情報サブバンド内のリソースブロックの最大個数は、バンド幅部分（ＢＷＰ）に含まれるリソースブロックの総数によって決定される。
【０００９】
本方法は、送信側デバイスによって実行されてもよく、送信側デバイスは、ネットワークデバイスであっても又は端末であってもよい。言い換えれば、本出願において提供される第１の態様の方法の手順は、ネットワークデバイスによって実行されても、又は端末によって実行されてもよい。ネットワークデバイスは、まず、ＣＳＩ報告バンドに含まれるサブバンドのサイズ、個数、開始位置、及び終了位置などを設定し、次に、この情報を端末に示してよい。あるいは、端末は、本方法に基づいて自ら、ＣＳＩ報告バンドに含まれるサブバンドのサイズ、個数、開始位置、及び終了位置を設定し、この情報を
設定提案としてネットワークデバイスに送出してよい。あるいは、別の実行可能な実装例では、ネットワークデバイスがＣＳＩ報告バンドの一部の情報を設定し、次いで、この情報を端末デバイスに送出し、端末デバイスが以降の設定を完了させる。
【００１０】
第１の実行可能な設計例では、チャネル状態情報報告バンドに含まれるチャネル状態情報サブバンドの個数を決定する段階の後に、本方法はさらに、それぞれのチャネル状態情報サブバンドが報告サブバンド又は非報告サブバンドであることを示す報告サブバンド設定情報を受信側デバイスに送出する段階であって、言い換えれば、報告サブバンド設定情報は、チャネル状態情報報告バンドのうちのどのサブバンドが報告サブバンドであり、どのサブバンドが報告サブバンドではないのかを示すのに用いられ、報告サブバンド設定情報は情報ビットを用いて表され、情報ビットの個数は、チャネル状態情報報告バンドに含まれるチャネル状態情報サブバンドの個数と同じである、段階を含む。
【００１１】
第１の実行可能な設計例の一実装例において、報告サブバンド設定情報は、チャネル状態情報サブバンドの個数を示すか、又はチャネル状態情報サブバンドの開始位置若しくはチャネル状態情報サブバンドの開始位置及び終了位置をさらに示す。
【００１２】
報告サブバンド設定情報は、第１の情報ビットを含む。第１の情報ビットは、報告バンド内のチャネル状態情報サブバンドのうちの報告サブバンド又は非報告サブバンドを示す、すなわち、チャネル状態情報サブバンドのうちのどのサブバンドが報告サブバンドであり、どのサブバンドが非報告サブバンドであるかを示すのに用いられる。言い換えれば、報告サブバンド設定情報はビットマップ（ｂｉｔｍａｐ）を用いて実現される。
【００１３】
任意選択的に、報告バンド内のチャネル状態情報サブバンドの全てが報告サブバンドであってよく、又はこれらのチャネル状態情報サブバンドの一部が報告サブバンドで、残りのチャネル状態情報サブバンドが非報告サブバンドである。報告サブバンドは情報ビット１を用いて表されてよく、非報告サブバンドは情報ビット０を用いて表されてよい。又は、報告サブバンドは情報ビット０を用いて表され、非報告サブバンドは情報ビット１を用いて表される。
【００１４】
任意選択的に、第１の情報ビットの個数は報告サブバンドの実際の個数と同じであり、第１の情報ビットの全ては報告サブバンド及び非報告サブバンドを示すのに用いられるか、又は、第１の情報ビットの個数はシステムが許容する報告サブバンドの最大個数と同じであり、第１の情報ビットの全て若しくは一部は報告サブバンド及び非報告サブバンドを示すのに用いられる。
【００１５】
第２の実行可能な設計例において、キャリアコンポーネント（ＣＣ）バンド幅又はバンド幅部分（ＢＷＰ）又はチャネル状態情報参照信号（ＣＳＩ−ＲＳ）バンド幅と、チャネル状態情報サブバンドサイズとに基づいて、チャネル状態情報報告バンドに含まれるチャネル状態情報サブバンドの個数を決定する段階は具体的に、キャリアコンポーネント（ＣＣ）バンド幅に含まれるリソースブロックの総数をチャネル状態情報サブバンドサイズで除算し、次に、その除算の結果より大きいかそれに等しい最小の整数を計算して、チャネル状態情報報告バンドに含まれるチャネル状態情報サブバンドの個数を求める段階、又は、バンド幅部分（ＢＷＰ）に含まれるリソースブロックの総数をチャネル状態情報サブバンドサイズで除算し、次に、その除算の結果より大きいかそれに等しい最小の整数を計算して、チャネル状態情報報告バンドに含まれるチャネル状態情報サブバンドの個数を求める段階、又は、チャネル状態情報参照信号（ＣＳＩ−ＲＳ）バンド幅に含まれるリソースブロックの総数をチャネル状態情報サブバンドサイズで除算し、次に、その除算の結果より大きいかそれに等しい最小の整数を計算して、チャネル状態情報報告バンドに含まれるチャネル状態情報サブバンドの個数を求める段階を含む。
【００１６】
チャネル状態情報報告バンド内のチャネル状態情報サブバンドは、最初のチャネル状態情報サブバンド、最後のチャネル状態情報サブバンド、及び通常のチャネル状態情報サブバンドを含む。
【００１７】
最初のチャネル状態情報サブバンドは、開始チャネル状態情報サブバンド、若しくは先頭チャネル状態情報サブバンドとも呼ばれることがあり、又は、本明細書では簡潔に開始サブバンドと呼ばれることがある。最後のチャネル状態情報サブバンドは、終了チャネル状態情報サブバンド、若しくは末端チャネル状態情報サブバンドとも呼ばれることがあり、又は、本明細書では簡潔に終了サブバンドと呼ばれることがある。通常のチャネル状態情報サブバンドは、チャネル状態情報サブバンドのうちの最初のチャネル状態情報サブバンド及び最後のチャネル状態情報サブバンド以外のサブバンドである。通常のチャネル状態情報サブバンドは、普通チャネル状態情報サブバンドとも呼ばれることがあり、本明細書では簡潔に普通サブバンドと呼ばれることがある。詳細については、再度以下で説明しない。
【００１８】
第３の実行可能な設計例において、受信側デバイスが、最初のチャネル状態情報サブバンドに含まれるリソースブロックの実際の個数と、最後のチャネル状態情報サブバンドに含まれるリソースブロックの実際の個数とを決定し、次にその情報を送出する。
【００１９】
具体的には、最初のチャネル状態情報サブバンドに含まれるリソースブロックの実際の個数を受信側デバイスが決定する段階は、［チャネル状態情報報告バンドのＣＣバンド幅に対応する、最初のチャネル状態情報サブバンドに含まれるリソースブロックの実際の個数］＝［通常のチャネル状態情報サブバンドに含まれるリソースブロックの実際の個数］−ｍｏｄ（［ＣＣバンド幅の初期リソースブロックのインデックス番号］，［通常のチャネル状態情報サブバンドに含まれるリソースブロックの実際の個数］）であると決定する段階、又は、［チャネル状態情報報告バンドのＢＷＰに対応する、最初のチャネル状態情報サブバンドに含まれるリソースブロックの実際の個数］＝［通常のチャネル状態情報サブバンドに含まれるリソースブロックの実際の個数］−ｍｏｄ（［ＢＷＰの初期リソースブロックのインデックス番号］，［通常のチャネル状態情報サブバンドに含まれるリソースブロックの実際の個数］）であると決定する段階、又は、［チャネル状態情報報告バンドのＣＳＩ−ＲＳバンド幅に対応する、最初のチャネル状態情報サブバンドに含まれるリソースブロックの実際の個数］＝［通常のチャネル状態情報サブバンドに含まれるリソースブロックの実際の個数］−ｍｏｄ（［ＣＳＩ−ＲＳの初期リソースブロックのインデックス番号］，［通常のチャネル状態情報サブバンドに含まれるリソースブロックの実際の個数］）であると決定する段階を含み、最初のチャネル状態情報サブバンドに含まれるリソースブロックの実際の個数は、通常のチャネル状態情報サブバンドに含まれるリソースブロックの実際の個数より少ないかそれに等しい。
【００２０】
最後のチャネル状態情報サブバンドに含まれるリソースブロックの実際の個数を送信側デバイスが決定する段階は、リソースブロックの剰余を決定する段階であって、［リソースブロックの剰余］＝ｍｏｄ（（［ＣＣバンド幅の初期リソースブロックのインデックス番号］＋［ＣＣバンド幅に含まれるリソースブロックの総数］），［通常のチャネル状態情報サブバンドに含まれるリソースブロックの実際の個数］）である、段階、又は、リソースブロックの剰余を決定する段階であって、［リソースブロックの剰余］＝ｍｏｄ（（［ＢＷＰの初期リソースブロックのインデックス番号］＋［ＢＷＰに含まれるリソースブロックの総数］），［通常のチャネル状態情報サブバンドに含まれるリソースブロックの実際の個数］）である、段階、又は、リソースブロックの剰余を決定する段階であって、［リソースブロックの剰余］＝ｍｏｄ（（［ＣＳＩ−ＲＳバンド幅の初期リソースブロックのインデックス番号］＋［ＣＳＩ−ＲＳバンド幅に含まれるリソースブロックの総数］），［通常のチャネル状態情報サブバンドに含まれるリソースブロックの実際の個数］）である、段階を含み、リソースブロックの剰余が０より多い場合、［最後のチャネル状態情報サブバンドに含まれるリソースブロックの実際の個数］＝［リソースブロックの剰余］であるか、又は、リソースブロックの剰余が０に等しい場合、［最後のチャネル状態情報サブバンドに含まれるリソースブロックの実際の個数］＝［通常のチャネル状態情報サブバンドに含まれるリソースブロックの実際の個数］である。
【００２１】
通常のチャネル状態情報サブバンドに含まれるリソースブロックの実際の個数は、チャネル状態情報サブバンドに含まれるリソースブロックの最大個数に等しい。
【００２２】
第４の実行可能な設計例において、送信側デバイスは、報告サブバンド設定情報を用いて、チャネル状態情報サブバンドの個数を端末に示し、受信側デバイスは、チャネル状態情報サブバンドサイズに基づいて、最初のチャネル状態情報サブバンドに含まれるリソースブロックの実際の個数と最後のチャネル状態情報サブバンドに含まれるリソースブロックの実際の個数とを決定する。最初のチャネル状態情報サブバンドに含まれるリソースブロックの実際の個数を決定し、最後のチャネル状態情報サブバンドに含まれるリソースブロックの実際の個数を決定するために受信側デバイスが用いる方式は、送信側デバイスが用いる方式と同じなので、詳細についてはここで再度説明しない。
【００２３】
第５の実行可能な設計例において、送信側デバイスが受信側デバイスに送出する報告サブバンド設定情報はさらに、最初のチャネル状態情報サブバンド又は最後のチャネル状態情報サブバンドに含まれるリソースブロックの実際の個数を含み、受信側デバイスは、最初のチャネル状態情報サブバンド又は最後のチャネル状態情報サブバンドに含まれるリソースブロックの実際の個数と、チャネル状態情報サブバンドサイズとに基づいて、最初のチャネル状態情報サブバンド又は最後のチャネル状態情報サブバンドに含まれるリソースブロックのインデックス番号を決定する。
【００２４】
第６の実行可能な設計例において、本方法はさらに、送信側デバイスが受信側デバイスに送出する報告サブバンドグループ設定情報が、報告バンド内のどのサブバンドグループが報告サブバンドグループであるかを示すのに用いられて、端末が、報告サブバンドグループ設定情報に基づいて、報告バンド内の少なくとも１つの報告サブバンドグループを決定できるようにすることを含む。
【００２５】
第７の実行可能な設計例において、チャネル状態情報サブバンドの報告状態又は非報告状態を示す報告サブバンド設定情報が、第１の情報ビットを用いて端末に送出された後に、本方法はさらに、動的シグナリングを端末に送出する段階を含み、動的シグナリングは第３の情報ビットを含み、第３の情報ビットは、第１の情報ビット又は第２の情報ビットのインデックスを表すのに用いられ、第３の情報ビットは、第３の情報ビットのインデックスのインジケーションに基づいて、第１の情報ビットにより示される報告サブバンド若しくは非報告サブバンド、又は第２の情報ビットにより示される報告サブバンドグループ若しくは非報告サブバンドグループを選択するよう端末に命令するのに用いられる。
【００２６】
前述の７つの実行可能な設計例において、チャネル状態情報は以下に挙げる情報、すなわち、チャネル品質インジケータ、プリコーティングマトリックスインジケータ、ランクインジケーション、チャネル状態情報参照信号リソースインジケータのうちの１つである。
【００２７】
本発明の実施形態の第２の態様によれば、処理モジュール及びインタフェースを含む送信側デバイスが提供される。処理モジュールは、バンド幅部分（ＢＷＰ）に基づいて、チャネル状態情報サブバンドサイズを決定するように構成され、処理モジュールはさらに、キャリアコンポーネント（ＣＣ）バンド幅又はバンド幅部分（ＢＷＰ）又はチャネル状態情報参照信号（ＣＳＩ−ＲＳ）バンド幅と、チャネル状態情報サブバンドサイズとに基づいて、チャネル状態情報報告バンドに含まれるチャネル状態情報サブバンドの個数を決定するように構成される。
【００２８】
第１の実行可能な設計例において、送信側デバイスはさらに、それぞれのチャネル状態情報サブバンドが報告サブバンドであるか又は非報告サブバンドであるかを示す報告サブバンド設定情報を受信側デバイスに送出するように構成された送受信機モジュールを含む。言い換えれば、報告サブバンド設定情報は、チャネル状態情報報告バンド内のどのサブバンドが報告サブバンドであるか、どのサブバンドが報告サブバンドではないのかを示すのに用いられる。また報告サブバンド設定情報は情報ビットを用いて表され、情報ビットの個数はチャネル状態情報サブバンドの個数と同じである。
【００２９】
第１の実行可能な設計例の一実装例において、報告サブバンド設定情報は、チャネル状態情報サブバンドの個数を示すか、又はさらに、チャネル状態情報サブバンドの開始位置、若しくはチャネル状態情報サブバンドの開始位置及び終了位置を示す。
【００３０】
報告サブバンド設定情報は、第１の情報ビットを含む。第１の情報ビットは、報告バンド内のチャネル状態情報サブバンドのうちの報告サブバンド又は非報告サブバンドを示す、すなわち、チャネル状態情報サブバンドのうちのどのサブバンドが報告サブバンドであり、どのサブバンドが非報告サブバンドであるかを示すのに用いられる。言い換えれば、報告サブバンド設定情報はビットマップ（ｂｉｔｍａｐ）を用いて実現される。
【００３１】
任意選択的に、チャネル状態情報報告バンド内のチャネル状態情報サブバンドの全てが報告サブバンドであってよく、又はこれらのチャネル状態情報サブバンドの一部が報告サブバンドで、残りのチャネル状態情報サブバンドが非報告サブバンドである。報告サブバンドは情報ビット１を用いて表されてよく、非報告サブバンドは情報ビット０を用いて表されてよい。又は、報告サブバンドは情報ビット０を用いて表され、非報告サブバンドは情報ビット１を用いて表される。
【００３２】
任意選択的に、第１の情報ビットの個数は報告サブバンドの実際の個数と同じであり、第１の情報ビットの全ては報告サブバンド及び非報告サブバンドを示すのに用いられるか、又は、第１の情報ビットの個数はシステムが許容する報告サブバンドの最大個数と同じであり、第１の情報ビットの全て若しくは一部は報告サブバンド及び非報告サブバンドを示すのに用いられる。
【００３３】
チャネル状態情報サブバンドサイズは、チャネル状態情報サブバンドに含まれるリソースブロックの最大個数であり、リソースブロックの最大個数は、バンド幅部分（ＢＷＰ）に含まれるリソースブロックの総数によって決定される。
【００３４】
第２の実行可能な設計例において、処理モジュールは具体的に、キャリアコンポーネント（ＣＣ）バンド幅に含まれるリソースブロックの総数をチャネル状態情報サブバンドサイズで除算して端数を切り上げ、チャネル状態情報報告バンドに含まれるチャネル状態情報サブバンドの個数を求めるか、又は、バンド幅部分（ＢＷＰ）に含まれるリソースブロックの総数をチャネル状態情報サブバンドサイズで除算して端数を切り上げ、チャネル状態情報報告バンドに含まれるチャネル状態情報サブバンドの個数を求めるか、又は、チャネル状態情報参照信号（ＣＳＩ−ＲＳ）バンド幅に含まれるリソースブロックの総数をチャネル状態情報サブバンドサイズで除算して端数を切り上げ、チャネル状態情報報告バンドに含まれるチャネル状態情報サブバンドの個数を求めるように構成される。
【００３５】
チャネル状態情報サブバンドは、最初のチャネル状態情報サブバンド、最後のチャネル状態情報サブバンド、及び通常のチャネル状態情報サブバンドを含む。
【００３６】
第３の実行可能な設計例において、送信側デバイスの処理モジュールは、最初のチャネル状態情報サブバンドに含まれるリソースブロックの実際の個数と、最後のチャネル状態情報サブバンドに含まれるリソースブロックの実際の個数とを決定し、次に送受信機モジュールは、リソースブロックの実際の個数を受信側デバイスに送出する。
【００３７】
具体的には、最初のチャネル状態情報サブバンドに含まれるリソースブロックの実際の個数を処理モジュールが決定することは、［チャネル状態情報報告バンドのＣＣバンド幅に対応する、最初のチャネル状態情報サブバンドに含まれるリソースブロックの実際の個数］＝［通常のチャネル状態情報サブバンドに含まれるリソースブロックの実際の個数］−ｍｏｄ（［ＣＣバンド幅の初期リソースブロックのインデックス番号］，［通常のチャネル状態情報サブバンドに含まれるリソースブロックの実際の個数］）であると処理モジュールが決定すること、又は、［チャネル状態情報報告バンドのＢＷＰに対応する、最初のチャネル状態情報サブバンドに含まれるリソースブロックの実際の個数］＝［通常のチャネル状態情報サブバンドに含まれるリソースブロックの実際の個数］−ｍｏｄ（［ＢＷＰの初期リソースブロックのインデックス番号］，［通常のチャネル状態情報サブバンドに含まれるリソースブロックの実際の個数］）であると処理モジュールが決定すること、又は、［チャネル状態情報報告バンドのＣＳＩ−ＲＳバンド幅に対応する、最初のチャネル状態情報サブバンドに含まれるリソースブロックの実際の個数］＝［通常のチャネル状態情報サブバンドに含まれるリソースブロックの実際の個数］−ｍｏｄ（［ＣＳＩ−ＲＳの初期リソースブロックのインデックス番号］，［通常のチャネル状態情報サブバンドに含まれるリソースブロックの実際の個数］）であると処理モジュールが決定することを含み、最初のチャネル状態情報サブバンドに含まれるリソースブロックの実際の個数は、通常のチャネル状態情報サブバンドに含まれるリソースブロックの実際の個数より少ないかそれに等しい。
【００３８】
処理モジュールがさらに、最後のチャネル状態情報サブバンドに含まれるリソースブロックの実際の個数を決定するように構成されることは、リソースブロックの剰余を決定することであって、［リソースブロックの剰余］＝ｍｏｄ（（［ＣＣバンド幅の初期リソースブロックのインデックス番号］＋［ＣＣバンド幅に含まれるリソースブロックの総数］），［通常のチャネル状態情報サブバンドに含まれるリソースブロックの実際の個数］）である、決定すること、又は、リソースブロックの剰余を決定することであって、［リソースブロックの剰余］＝ｍｏｄ（（［ＢＷＰの初期リソースブロックのインデックス番号］＋［ＢＷＰに含まれるリソースブロックの総数］），［通常のチャネル状態情報サブバンドに含まれるリソースブロックの実際の個数］）である、決定すること、又は、リソースブロックの剰余を決定することであって、［リソースブロックの剰余］＝ｍｏｄ（（［ＣＳＩ−ＲＳバンド幅の初期リソースブロックのインデックス番号］＋［ＣＳＩ−ＲＳバンド幅に含まれるリソースブロックの総数］），［通常のチャネル状態情報サブバンドに含まれるリソースブロックの実際の個数］）である、決定することを含み、リソースブロックの剰余が０より多い場合、［最後のチャネル状態情報サブバンドに含まれるリソースブロックの実際の個数］＝［リソースブロックの剰余］であるか、又は、リソースブロックの剰余が０に等しい場合、［最後のチャネル状態情報サブバンドに含まれるリソースブロックの実際の個数］＝［通常のチャネル状態情報サブバンドに含まれるリソースブロックの実際の個数］である。
【００３９】
通常のチャネル状態情報サブバンドに含まれるリソースブロックの実際の個数は、チャネル状態情報サブバンドに含まれるリソースブロックの最大個数に等しい。
【００４０】
第４の実行可能な設計例において、送信側デバイスの送受信機モジュールは、報告サブバンド設定情報を用いて、チャネル状態情報サブバンドの個数を受信側デバイスに示し、受信側デバイスは、チャネル状態情報サブバンドサイズに基づいて、最初のチャネル状態情報サブバンドに含まれるリソースブロックの実際の個数と最後のチャネル状態情報サブバンドに含まれるリソースブロックの実際の個数とを決定する。
【００４１】
最初のチャネル状態情報サブバンドに含まれるリソースブロックの実際の個数を決定し、最後のチャネル状態情報サブバンドに含まれるリソースブロックの実際の個数を決定するために受信側デバイスが用いる方式は、送信側デバイスが用いる方式と同じなので、詳細についてはここで再度説明しない。
【００４２】
第５の実行可能な設計例において、送信側デバイスが受信側デバイスに送出する報告サブバンド設定情報はさらに、最初のチャネル状態情報サブバンド又は最後のチャネル状態情報サブバンドに含まれるリソースブロックの実際の個数を含み、受信側デバイスは、最初のチャネル状態情報サブバンド又は最後のチャネル状態情報サブバンドに含まれるリソースブロックの実際の個数と、チャネル状態情報サブバンドサイズとに基づいて、最初のチャネル状態情報サブバンド又は最後のチャネル状態情報サブバンドに含まれるリソースブロックのインデックス番号を決定する。
【００４３】
第６の実行可能な設計例において、送信側デバイスの送受信機モジュールが端末に送出する報告サブバンドグループ設定情報はさらに、報告バンド内のどのサブバンドグループが報告サブバンドグループであるかを示すのに用いられて、端末が、報告サブバンドグループ設定情報に基づいて、報告バンド内の少なくとも１つの報告サブバンドグループを決定できるようにすることを含む。
【００４４】
第７の実行可能な設計例において、チャネル状態情報サブバンドの報告状態又は非報告状態を示す報告サブバンド設定情報を、第１の情報ビットを用いて端末に送出した後に、送信側デバイスの送受信機モジュールはさらに、動的シグナリングを端末に送出するように構成され、動的シグナリングは第３の情報ビットを含み、第３の情報ビットは、第１の情報ビット又は第２の情報ビットのインデックスを表すのに用いられ、第３の情報ビットは、第３の情報ビットのインデックスのインジケーションに基づいて、第１の情報ビットにより示される報告サブバンド若しくは非報告サブバンド、又は第２の情報ビットにより示される報告サブバンドグループ若しくは非報告サブバンドグループを選択するよう端末に命令するのに用いられる。
【００４５】
前述の７つの実行可能な設計例において、チャネル状態情報は以下に挙げる情報、すなわち、チャネル品質インジケータ、プリコーティングマトリックスインジケータ、ランクインジケーション、チャネル状態情報参照信号リソースインジケータのうちの１つである。
【００４６】
本発明の実施形態の第３の態様によれば、チャネル状態情報報告バンドの設定方法が提供され、本方法は、チャネル状態情報サブバンドを示し、送信側デバイスにより送出される、報告サブバンド設定情報を受信する段階であって、報告サブバンド設定情報は、当該チャネル状態情報サブバンドが報告サブバンドであるか又は非報告サブバンドであるかを示し、チャネル状態情報サブバンドはチャネル状態情報報告バンドに属する、段階と、報告サブバンド設定情報に基づいてチャネル状態情報サブバンドの個数を決定する段階とを含む。
【００４７】
第３の態様で提供されるチャネル状態情報報告バンドの設定方法は、受信側デバイスにより実行される。具体的には、受信側デバイスは端末であってよい。
【００４８】
第１の実行可能な設計方式において、報告サブバンド設定情報は情報ビットを用いて表され、情報ビットの個数は、チャネル状態情報報告バンドに含まれるチャネル状態情報サブバンドの個数と同じである。
【００４９】
報告サブバンド設定情報を受信すると、受信側デバイスは、情報ビットの個数が分かり、チャネル状態情報報告バンドに含まれるチャネル状態情報サブバンドの個数が分かってよい。
【００５０】
第２の実行可能な設計方式において、報告サブバンド設定情報はチャネル状態情報サブバンドサイズを含む。報告サブバンド設定情報を受信した後に、受信側デバイスは、キャリアコンポーネント（ＣＣ）バンド幅又はバンド幅部分（ＢＷＰ）又はチャネル状態情報参照信号（ＣＳＩ−ＲＳ）バンド幅と、チャネル状態情報サブバンドサイズとに基づいて、チャネル状態情報報告バンドに含まれるチャネル状態情報サブバンドの個数を決定する。チャネル状態情報サブバンドサイズは、チャネル状態情報サブバンドに含まれるリソースブロックの最大個数である。
【００５１】
具体的には、キャリアコンポーネント（ＣＣ）バンド幅又はバンド幅部分（ＢＷＰ）又はチャネル状態情報参照信号（ＣＳＩ−ＲＳ）バンド幅と、チャネル状態情報サブバンドサイズとに基づいて、チャネル状態情報報告バンドに含まれるチャネル状態情報サブバンドの個数を決定することは、キャリアコンポーネント（ＣＣ）バンド幅に含まれるリソースブロックの総数をチャネル状態情報サブバンドサイズで除算し、次に、その除算の結果より大きいかそれに等しい最小の整数を計算して、チャネル状態情報報告バンドに含まれるチャネル状態情報サブバンドの個数を求めること、又は、バンド幅部分（ＢＷＰ）に含まれるリソースブロックの総数をチャネル状態情報サブバンドサイズで除算し、次に、その除算の結果より大きいかそれに等しい最小の整数を計算して、チャネル状態情報報告バンドに含まれるチャネル状態情報サブバンドの個数を求めること、又は、チャネル状態情報参照信号（ＣＳＩ−ＲＳ）バンド幅に含まれるリソースブロックの総数をチャネル状態情報サブバンドサイズで除算し、次に、その除算の結果より大きいかそれに等しい最小の整数を計算して、チャネル状態情報報告バンドに含まれるチャネル状態情報サブバンドの個数を求めることを含む。
【００５２】
チャネル状態情報サブバンドは、最初のチャネル状態情報サブバンド、最後のチャネル状態情報サブバンド、及び通常のチャネル状態情報サブバンドを含む。
【００５３】
第３の実行可能な設計方式において、受信側デバイスは、最初のチャネル状態情報サブバンドに含まれるリソースブロックの実際の個数と、最後のチャネル状態情報サブバンドに含まれるリソースブロックの実際の個数とを決定する。
【００５４】
具体的には、最初のチャネル状態情報サブバンドに含まれるリソースブロックの実際の個数を決定する段階は、［チャネル状態情報報告バンドのＣＣバンド幅に対応する、最初のチャネル状態情報サブバンドに含まれるリソースブロックの実際の個数］＝［通常のチャネル状態情報サブバンドに含まれるリソースブロックの実際の個数］−ｍｏｄ（［ＣＣバンド幅の初期リソースブロックのインデックス番号］，［通常のチャネル状態情報サブバンドに含まれるリソースブロックの実際の個数］）であると決定する段階、又は、［チャネル状態情報報告バンドのＢＷＰに対応する、最初のチャネル状態情報サブバンドに含まれるリソースブロックの実際の個数］＝［通常のチャネル状態情報サブバンドに含まれるリソースブロックの実際の個数］−ｍｏｄ（［ＢＷＰの初期リソースブロックのインデックス番号］，［通常のチャネル状態情報サブバンドに含まれるリソースブロックの実際の個数］）であると決定する段階、又は、［チャネル状態情報報告バンドのＣＳＩ−ＲＳバンド幅に対応する、最初のチャネル状態情報サブバンドに含まれるリソースブロックの実際の個数］＝［通常のチャネル状態情報サブバンドに含まれるリソースブロックの実際の個数］−ｍｏｄ（［ＣＳＩ−ＲＳの初期リソースブロックのインデックス番号］，［通常のチャネル状態情報サブバンドに含まれるリソースブロックの実際の個数］）であると決定する段階を含み、最初のチャネル状態情報サブバンドに含まれるリソースブロックの実際の個数は、通常のチャネル状態情報サブバンドに含まれるリソースブロックの実際の個数より少ないかそれに等しい。
【００５５】
最後のチャネル状態情報サブバンドに含まれるリソースブロックの実際の個数を決定することは、リソースブロックの剰余を決定することであって、［リソースブロックの剰余］＝ｍｏｄ（（［ＣＣバンド幅の初期リソースブロックのインデックス番号］＋［ＣＣバンド幅に含まれるリソースブロックの総数］），［通常のチャネル状態情報サブバンドに含まれるリソースブロックの実際の個数］）である、決定すること、又は、リソースブロックの剰余を決定することであって、［リソースブロックの剰余］＝ｍｏｄ（（［ＢＷＰの初期リソースブロックのインデックス番号］＋［ＢＷＰに含まれるリソースブロックの総数］），［通常のチャネル状態情報サブバンドに含まれるリソースブロックの実際の個数］）である、決定すること、又は、リソースブロックの剰余を決定することであって、［リソースブロックの剰余］＝ｍｏｄ（（［ＣＳＩ−ＲＳバンド幅の初期リソースブロックのインデックス番号］＋［ＣＳＩ−ＲＳバンド幅に含まれるリソースブロックの総数］），［通常のチャネル状態情報サブバンドに含まれるリソースブロックの実際の個数］）である、決定することを含み、リソースブロックの剰余が０より多い場合、［最後のチャネル状態情報サブバンドに含まれるリソースブロックの実際の個数］＝［リソースブロックの剰余］であるか、又は、リソースブロックの剰余が０に等しい場合、［最後のチャネル状態情報サブバンドに含まれるリソースブロックの実際の個数］＝［通常のチャネル状態情報サブバンドに含まれるリソースブロックの実際の個数］である。
【００５６】
第４の実行可能な設計方式において、端末がネットワークデバイスから受信する報告サブバンド設定情報はさらに、最初のチャネル状態情報サブバンド又は最後のチャネル状態情報サブバンドに含まれるリソースブロックの実際の個数を含み、端末は、報告サブバンド設定情報とチャネル状態情報サブバンドサイズとに基づいて、最初のチャネル状態情報サブバンド又は最後のチャネル状態情報サブバンドに含まれるリソースブロックのインデックス番号を決定する。
【００５７】
前述の５つの実行可能な設計例において、通常のチャネル状態情報サブバンドに含まれるリソースブロックの実際の個数は、チャネル状態情報サブバンドに含まれるリソースブロックの最大個数に等しい。
【００５８】
前述の５つの実行可能な設計例において、チャネル状態情報は以下に挙げる情報、すなわち、チャネル品質インジケータ、プリコーティングマトリックスインジケータ、ランクインジケーション、チャネル状態情報参照信号リソースインジケータのうちの１つである。
【００５９】
本発明の実施形態の第４の態様によれば、受信側デバイスが提供され、本デバイスは、チャネル状態情報サブバンドを示し、送信側デバイスにより送出される、報告サブバンド設定情報を受信するように構成された送受信機モジュールであって、報告サブバンド設定情報は、それぞれのチャネル状態情報サブバンドが報告サブバンドであるか、又は非報告サブバンドであるかを示し、チャネル状態情報サブバンドはチャネル状態情報報告バンドに属する、送受信機モジュールと、報告サブバンド設定情報に基づいて、チャネル状態情報報告バンドに含まれるチャネル状態情報サブバンドの個数を決定するように構成された処理モジュールとを含む。
【００６０】
第１の実行可能な設計方式において、送受信機モジュールが受信する報告サブバンド設定情報は、情報ビットを用いて表され、情報ビットの個数は、チャネル状態情報報告バンドに含まれるチャネル状態情報サブバンドの個数に等しい。報告サブバンド設定情報を受信すると、受信側デバイスは、情報ビットの個数が分かり、チャネル状態情報報告バンドに含まれるチャネル状態情報サブバンドの個数が分かる。
【００６１】
第２の実行可能な設計方式において、報告サブバンド設定情報はチャネル状態情報サブバンドサイズを含む。受信側デバイスが報告サブバンド設定情報を受信した後に、受信側デバイスの処理モジュールは、キャリアコンポーネント（ＣＣ）バンド幅又はバンド幅部分（ＢＷＰ）又はチャネル状態情報参照信号（ＣＳＩ−ＲＳ）バンド幅と、チャネル状態情報サブバンドサイズとに基づいて、チャネル状態情報報告バンドに含まれるチャネル状態情報サブバンドの個数を決定する。チャネル状態情報サブバンドサイズは、チャネル状態情報サブバンドに含まれるリソースブロックの最大個数である。
【００６２】
具体的には、処理モジュールが、キャリアコンポーネント（ＣＣ）バンド幅又はバンド幅部分（ＢＷＰ）又はチャネル状態情報参照信号（ＣＳＩ−ＲＳ）バンド幅と、チャネル状態情報サブバンドサイズとに基づいて、チャネル状態情報報告バンドに含まれるチャネル状態情報サブバンドの個数を決定することは、処理モジュールが、キャリアコンポーネント（ＣＣ）バンド幅に含まれるリソースブロックの総数をチャネル状態情報サブバンドサイズで除算し、次に、その除算の結果より大きいかそれに等しい最小の整数を計算して、チャネル状態情報報告バンドに含まれるチャネル状態情報サブバンドの個数を求めること、又は、処理モジュールが、バンド幅部分（ＢＷＰ）に含まれるリソースブロックの総数をチャネル状態情報サブバンドサイズで除算し、次に、その除算の結果より大きいかそれに等しい最小の整数を計算して、チャネル状態情報報告バンドに含まれるチャネル状態情報サブバンドの個数を求めること、又は、処理モジュールが、チャネル状態情報参照信号（ＣＳＩ−ＲＳ）バンド幅に含まれるリソースブロックの総数をチャネル状態情報サブバンドサイズで除算し、次に、その除算の結果より大きいかそれに等しい最小の整数を計算して、チャネル状態情報報告バンドに含まれるチャネル状態情報サブバンドの個数を求めることを含む。
【００６３】
チャネル状態情報サブバンドは、最初のチャネル状態情報サブバンド、最後のチャネル状態情報サブバンド、及び通常のチャネル状態情報サブバンドを含む。
【００６４】
第３の実行可能な設計方式において、端末の処理モジュールは、最初のチャネル状態情報サブバンドに含まれるリソースブロックの実際の個数と、最後のチャネル状態情報サブバンドに含まれるリソースブロックの実際の個数とを決定する。
【００６５】
具体的には、最初のチャネル状態情報サブバンドに含まれるリソースブロックの実際の個数を端末の処理モジュールが決定することは、［チャネル状態情報報告バンドのＣＣバンド幅に対応する、最初のチャネル状態情報サブバンドに含まれるリソースブロックの個数］＝［通常のチャネル状態情報サブバンドに含まれるリソースブロックの実際の個数］−ｍｏｄ（［ＣＣバンド幅の初期リソースブロックのインデックス番号］，［通常のチャネル状態情報サブバンドに含まれるリソースブロックの実際の個数］）であると処理モジュールが決定すること、又は、［チャネル状態情報報告バンドのＢＷＰに対応する、最初のチャネル状態情報サブバンドに含まれるリソースブロックの実際の個数］＝［通常のチャネル状態情報サブバンドに含まれるリソースブロックの実際の個数］−ｍｏｄ（［ＢＷＰの初期リソースブロックのインデックス番号］，［通常のチャネル状態情報サブバンドに含まれるリソースブロックの実際の個数］）であると処理モジュールが決定すること、又は、［チャネル状態情報報告バンドのＣＳＩ−ＲＳバンド幅に対応する、最初のチャネル状態情報サブバンドに含まれるリソースブロックの実際の個数］＝［通常のチャネル状態情報サブバンドに含まれるリソースブロックの実際の個数］−ｍｏｄ（［ＣＳＩ−ＲＳの初期リソースブロックのインデックス番号］，［通常のチャネル状態情報サブバンドに含まれるリソースブロックの実際の個数］）であると処理モジュールが決定することを含み、最初のチャネル状態情報サブバンドに含まれるリソースブロックの実際の個数は、通常のチャネル状態情報サブバンドに含まれるリソースブロックの実際の個数より少ないかそれに等しい。
【００６６】
最後のチャネル状態情報サブバンドに含まれるリソースブロックの実際の個数を処理モジュールが決定することは、リソースブロックの剰余を決定することであって、［リソースブロックの剰余］＝ｍｏｄ（（［ＣＣバンド幅の初期リソースブロックのインデックス番号］＋［ＣＣバンド幅に含まれるリソースブロックの総数］），［通常のチャネル状態情報サブバンドに含まれるリソースブロックの実際の個数］）である、決定すること、又は、リソースブロックの剰余を決定することであって、［リソースブロックの剰余］＝ｍｏｄ（（［ＢＷＰの初期リソースブロックのインデックス番号］＋［ＢＷＰに含まれるリソースブロックの総数］），［通常のチャネル状態情報サブバンドに含まれるリソースブロックの実際の個数］）である、決定すること、又は、リソースブロックの剰余を決定することであって、［リソースブロックの剰余］＝ｍｏｄ（（［ＣＳＩ−ＲＳバンド幅の初期リソースブロックのインデックス番号］＋［ＣＳＩ−ＲＳバンド幅に含まれるリソースブロックの総数］），［通常のチャネル状態情報サブバンドに含まれるリソースブロックの実際の個数］）である、決定することを含み、リソースブロックの剰余が０より多い場合、［最後のチャネル状態情報サブバンドに含まれるリソースブロックの実際の個数］＝［リソースブロックの剰余］であるか、又は、リソースブロックの剰余が０に等しい場合、［最後のチャネル状態情報サブバンドに含まれるリソースブロックの実際の個数］＝［通常のチャネル状態情報サブバンドに含まれるリソースブロックの実際の個数］である。
【００６７】
第４の実行可能な設計方式において、端末の送受信機モジュールが送信側デバイスから受信する報告サブバンド設定情報はさらに、最初のチャネル状態情報サブバンド又は最後のチャネル状態情報サブバンドに含まれるリソースブロックの実際の個数を含み、端末の処理モジュールは、報告サブバンド設定情報とチャネル状態情報サブバンドサイズとに基づいて、最初のチャネル状態情報サブバンド又は最後のチャネル状態情報サブバンドに含まれるリソースブロックのインデックス番号を決定する。
【００６８】
前述の５つの実行可能な設計例において、通常のチャネル状態情報サブバンドに含まれるリソースブロックの実際の個数は、チャネル状態情報サブバンドに含まれるリソースブロックの最大個数に等しい。
【００６９】
前述の５つの実行可能な設計例において、チャネル状態情報は以下に挙げる情報、すなわち、チャネル品質インジケータ、プリコーティングマトリックスインジケータ、ランクインジケーション、チャネル状態情報参照信号リソースインジケータのうちの１つである。
【００７０】
実行可能な一設計例において、チャネル状態情報は以下に挙げる情報、すなわち、チャネル品質インジケータ、プリコーティングマトリックスインジケータ、ランクインジケーション、チャネル状態情報参照信号リソースインジケータのうちの１つである。
【００７１】
実行可能な一設計例において、処理モジュールはプロセッサであり、送受信機モジュールは送受信機である。
【００７２】
本発明の実施形態の第５の態様によれば、プロセッサが提供される。プロセッサは、前述の方法のうちのいずれかを実行するように構成され、送信及び受信に関連した各段階は、送受信機を用いてプロセッサにより実行されることを理解されたい。
【００７３】
本発明の実施形態の第６の態様によれば、処理装置が提供され、本装置は、メモリと、メモリに格納された命令を読み出して前述の方法のうちのいずれかを実行するように構成されたプロセッサとを含み、送信及び受信に関連した各段階は、送受信機を用いてプロセッサにより実行されることを理解されたい。
【００７４】
メモリは、リードオンリメモリ（ｒｅａｄ−ｏｎｌｙ  ｍｅｍｏｒｙ、ＲＯＭ）などの非一時的（ｎｏｎ−ｔｒａｎｓｉｔｏｒｙ）メモリであってよい。メモリ及びプロセッサは、同じチップに集積されてもよく、又は異なるチップに別々に配置されてもよい。メモリの種類、並びにメモリ及びプロセッサの設定方式が、本発明のこの実施形態において限定されることはない。
【００７５】
本発明の実施形態の第７の態様によれば、チップが提供され、本チップは、メモリに格納された命令を読み出して前述の方法のうちのいずれかを実行するように構成されたプロセッサを含み、送信及び受信に関連した各段階は、送受信機を用いてプロセッサにより実行されることを理解されたい。
【００７６】
本発明の実施形態の第８の態様によれば、命令を含むコンピュータ可読記憶媒体が提供され、命令がコンピュータ上で実行されると、コンピュータは前述の方法のうちのいずれかを実行することになる。
【００７７】
コンピュータ可読記憶媒体は非一時的である。
【００７８】
本発明の実施形態の第９の態様によれば、命令を含むコンピュータプログラム製品が提供される。命令がコンピュータで実行されると、コンピュータは前述の方法のうちのいずれかを実行することになる。
【００７９】
本発明の実施形態の有益な効果は、ＣＳＩ報告サブバンドの個数がシステムバンド幅のみに基づいて設定され得る先行技術と比較すると、チャネル状態情報報告バンドに含まれるチャネル状態情報サブバンドの個数が、キャリアコンポーネント（ＣＣ）バンド幅又はバンド幅部分（ＢＷＰ）又はＣＳＩ設定時のチャネル状態情報参照信号（ＣＳＩ−ＲＳ）バンド幅に基づいて設定され得ることであり、その結果、本発明の実施形態は、新世代の通信ネットワークの要件をより十分に満たすことができる。
【図面の簡単な説明】
【００８０】
【図１】本発明の一実施形態によるバンド分割の概略図である。
【００８１】
【図２】本発明の一実施形態による無線通信ネットワークの概略図である。
【００８２】
【図３】本発明の一実施形態による通信デバイスの論理構造の概略図である。
【００８３】
【図４】本発明の一実施形態による通信デバイスのハードウェア構造の概略図である。
【００８４】
【図５】本発明の一実施形態によるチャネル状態情報設定方法のフローチャートである。
【００８５】
【図６】本発明の一実施形態によるチャネル状態情報報告方法のフローチャートである。
【００８６】
【図７】本発明の別の実施形態によるチャネル状態情報設定の概略図である。
【００８７】
【図８】本発明の別の実施形態によるチャネル状態情報設定の概略図である。
【００８８】
【図９】本発明の別の実施形態によるチャネル状態情報設定の概略図である。
【００８９】
【図１０】本発明の別の実施形態によるチャネル状態情報設定の概略図である。
【００９０】
【図１１】本発明の別の実施形態によるチャネル状態情報設定の概略図である。
【００９１】
【図１２】本発明の別の実施形態によるチャネル状態情報設定の概略図である。
【００９２】
【図１３】本発明の別の実施形態によるチャネル状態情報設定の概略図である。
【００９３】
【図１４】本発明の別の実施形態によるチャネル状態情報設定の概略図である。
【００９４】
【図１５】本発明の別の実施形態によるチャネル状態情報設定の概略図である。
【発明を実施するための形態】
【００９５】
現在、研究開発段階にある次世代無線通信システムは、新無線（ｎｅｗ  ｒａｄｉｏ、ＮＲ）システム又は５Ｇシステムとも呼ばれている。次世代無線通信規格の最新の研究成果は、物理アップリンク共有チャネル（ｐｈｙｓｉｃａｌ  ｕｐｌｉｎｋ  ｓｈａｒｅｄ  ｃｈａｎｎｅｌ、ＰＵＳＣＨ）を用いて、ＣＳＩが受信側デバイスから送信側デバイスに送出され得ることを示している。当業者は、主に制御情報を送信するのに用いられる物理アップリンク制御チャネル（ｐｈｙｓｉｃａｌ  ｕｐｌｉｎｋ  ｃｏｎｔｒｏｌ  ｃｈａｎｎｅｌ、ＰＵＣＣＨ）と比較して、ＰＵＳＣＨは主にデータを送信するのに用いられることを理解するはずである。したがって、ＣＳＩ送信時に、ＰＵＳＣＨはさらにデータを送信してもよく、又はデータを送信しなくてもよい。例えば、アップリンクサブフレームにおけるＰＵＳＣＨは、ＣＳＩ及びデータを両方とも送信してよく、又はデータを送信しないで、ＣＳＩだけを送信してもよい。ＣＳＩは通常、アップリンク制御情報（ｕｐｌｉｎｋ  ｃｏｎｔｒｏｌ  ｉｎｆｏｒｍａｔｉｏｎ、ＵＣＩ）に含まれており、ＵＣＩはＰＵＳＣＨを用いて送信される。ＵＣＩはさらに、少なくとも２つの部分を含んでよい。第１の部分に含まれる情報ビットの個数は固定であり、第１の部分は、第２の部分の情報ビットの個数を示すのに用いられる。さらに、第１の部分の優先度は、第２の部分の優先度より高い。さらに、第１の部分及び第２の部分は、別々に符号化されてよい。当業者は、最終的に決定される次世代無線通信規格も変わることがあり、前述の最新の研究成果とは異なり得ることを理解するはずである。
【００９６】
図１は、本発明の一実施形態によるバンド分割の概略図である。図１に示すように、キャリアコンポーネント（ＣＣ）バンド幅は広帯域とみなされてよく、キャリアコンポーネント（ＣＣ）バンド幅はさらに、少なくとも１つのバンド幅部分（ＢＷＰ）を含む。各バンド幅部分は、少なくとも１つの連続したサブバンドを含み、各サブバンドはさらに、複数の連続したサブキャリアを含む。
【００９７】
各バンド幅部分は、一群のシステムパラメータ（ｎｕｍｅｒｏｌｏｇｙ）に対応してよく、これらのシステムパラメータには、例えば、限定されるものではないが、サブキャリア間隔（Ｓｕｂｃａｒｒｉｅｒ  ｓｐａｃｉｎｇ）及び巡回プリフィクス（ｃｙｃｌｉｃ  ｐｒｅｆｉｘ、ＣＰ）が含まれる。異なるバンド幅部分が異なるシステムパラメータに対応してよい。任意選択的に、同じ伝送時間間隔（Ｔｒａｎｓｍｉｓｓｉｏｎ  Ｔｉｍｅ  Ｉｎｔｅｒｖａｌ、ＴＴＩ）において、複数のバンド幅部分のうちの１つのバンド幅部分だけが利用可能であってよく、他のバンド幅部分は利用できない。
【００９８】
ＣＳＩ報告時に、バンド幅部分のサブバンドの一部又は全てが、ＣＳＩ報告バンド（ＣＳＩ  ｒｅｐｏｒｔｉｎｇ  ｂａｎｄ）として用いられ、ＣＳＩ報告バンドに対応するＣＳＩを報告してよい。説明を容易にするために、ＣＳＩ報告バンドは、以下では簡潔に報告バンドと呼ばれる。報告バンドはバンド幅であり、バンド幅に対応するＣＳＩが報告される必要があり、バンド幅は複数のサブバンドを含むことを理解されたい。チャネル測定に用いられ、送信側デバイスにより送信される参照信号が、報告バンドで搬送される。参照信号は、例えば、限定されるものではないが、セル固有参照信号（ｃｅｌｌ−ｓｐｅｃｉｆｉｃ  ｒｅｆｅｒｅｎｃｅ  ｓｉｇｎａｌ、ＣＲＳ）、チャネル状態情報参照信号（ｃｈａｎｎｅｌ  ｓｔａｔｅ  ｉｎｆｏｒｍａｔｉｏｎ  ｒｅｆｅｒｅｎｃｅ  ｓｉｇｎａｌ、ＣＳＩ−ＲＳ）、又は復調参照信号（ｄｅｍｏｄｕｌａｔｉｏｎ  ｒｅｆｅｒｅｎｃｅ  ｓｉｇｎａｌ、ＤＭＲＳ）である。前述の参照信号に関連した技術的内容は先行技術に属し、本発明のこの実施形態において限定されることはない。受信側デバイスは、前述の参照信号を測定し、対応するＣＳＩを取得してよい。ＣＳＩ報告時に、報告バンド全体に対応するＣＳＩ、すなわち、報告バンドに対応する広帯域ＣＳＩが報告されてもよく、又は報告バンド内の少なくとも１つのサブバンドに対応するＣＳＩが報告されてもよく、又は前述の２つの報告方式が組み合わされてもよく、又は別の報告方式が用いられてもよい。図１に示すように、報告バンドは、複数の連続したサブバンドを含む。しかしながら、具体的な実施プロセスでは、報告バンドに含まれるサブバンドは不連続であってもよい。例えば、バンド幅部分は６つの連続したサブバンド、サブバンド１〜サブバンド６を含み、報告バンドは、サブバンド１、サブバンド２、サブバンド４、及びサブバンド６を含んでよい。具体的な実施プロセスでは、バンドは別の方式又は階層で分割されてもよい。例えば、異なる分割方式では、サブバンドに含まれるサブキャリアの個数は異なってもよい。別の例では、少なくとも１つのレベルが、図１に示すバンド分割レベルの間に追加されても又は削除されてもよい。具体的なバンド分割方式が、本発明のこの実施形態において限定されることはない。
【００９９】
チャネル測定において、受信側デバイスは、送信側デバイスにより送信される参照信号（ｒｅｆｅｒｅｎｃｅ  ｓｉｇｎａｌ、ＲＳ）に基づいてチャネル状態情報を取得し、取得したＣＳＩを送信側デバイスにフィードバックする。送信側デバイスは、ＣＳＩに基づいて信号を処理してよく、処理した信号を受信側デバイスに送出する。具体的な実施プロセスにおいて、ＣＳＩはさらに、例えば、限定されるものではないが、以下に挙げる情報のうちの少なくとも１つを含んでよい。すなわち、チャネル品質インジケータ（ｃｈａｎｎｅｌ  ｑｕａｌｉｔｙ  ｉｎｄｉｃａｔｏｒ、ＣＱＩ）、プリコーティングマトリックスインジケータ（ｐｒｅｃｏｄｉｎｇ  ｍａｔｒｉｘ  ｉｎｄｉｃａｔｏｒ、ＰＭＩ）、ＣＳＩ−ＲＳリソースインジケータ（ＣＳＩ−ＲＳ  ｒｅｓｏｕｒｃｅ  ｉｎｄｉｃａｔｏｒ、ＣＲＩ）、及びランクインジケーション（ｒａｎｋ  ｉｎｄｉｃａｔｉｏｎ、ＲＩ）である。信号を処理する場合、送信側デバイスは、受信側デバイスによりフィードバックされるＣＳＩを用いて信号を処理してよく、又は、送信側デバイスは、受信側デバイスによりフィードバックされるＣＳＩを調整し、調整したＣＳＩを用いて信号を処理してもよい。例えば、具体的な実施プロセスにおいて、送信側デバイスは、受信側デバイスによりフィードバックされるＲＩを減少させ、減少したＲＩを用いて送信信号を処理してよい。別の例では、送信側デバイスはまた、受信側デバイスによりフィードバックされるＰＭＩに対応するプリコーディングマトリックスを再構成し、再構成したＰＭＩを用いて信号を処理してよい。再構成プロセスは、例えば、限定されるものではないが、同時にスケジューリングされた複数の受信側デバイスによりフィードバックされるＰＭＩに対応するプリコーディングマトリックスに対して、直交化を実行することであってよい。複数の受信側デバイスをデータ送信のために同時にスケジューリングする方法は、マルチユーザ多入力多出力（ｍｕｌｔｉ−ｕｓｅｒ  ｍｕｌｔｉｐｌｅ−ｉｎｐｕｔ  ａｎｄ  ｍｕｌｔｉｐｌｅ−ｏｕｔｐｕｔ（ＭＩＭＯ）、ＭＵ−ＭＩＭＯ）技術とも呼ばれる。別の例では、送信側デバイスはまた、受信側デバイスによりフィードバックされるＣＱＩを減少させ、減少したＣＱＩを用いて送信信号を処理してよい。送信側デバイスが受信側デバイスによりフィードバックされるＣＳＩを調整した場合、送信側デバイスは、調整したＣＳＩを受信側デバイスに通知する必要があり得、その結果、受信側デバイスは、調整されたＣＳＩに基づいて、受信した信号から送信信号を復元することに留意されたい。例えば、基地局がＲＩ又はＣＱＩを調整した場合、基地局は、調整したＲＩ又は調整したＣＱＩを受信側デバイスに通知する必要がある。具体的な実施プロセスにおいて、受信側デバイスによりフィードバックされるＣＳＩを送信側デバイスが調整する具体的な方式が、本発明のこの実施形態において限定されることはない。
【０１００】
ＬＴＥでの、前述のチャネル状態情報報告バンド（ＣＳＩ  ｒｅｐｏｒｔｉｎｇ  ｂａｎｄ）におけるサブバンドの設定が、表１及び表２に示されている。サブバンドは、システムバンド幅（ｓｙｓｔｅｍ  ｂａｎｄｗｉｄｔｈ）に基づいて設定される。異なるシステムバンド幅の範囲が、異なるサブバンドサイズ（ｓｕｂｂａｎｄ  ｓｉｚｅ）に対応する。したがって、対応するシステムバンド幅のサブバンドの個数が、サブバンドサイズに基づいて導き出されてよい。
【表１】
0006977920.tif 000002
【表２】
0006977920.tif 000003
【０１０１】
しかしながら、上述したように、新無線（ｎｅｗ  ｒａｄｉｏ、ＮＲ）システム又は５Ｇシステムでは、ＢＷＰ、ＣＳＩ−ＲＳバンド幅、及びＣＳＩ報告バンドが全て、部分的バンド幅又は全バンド幅として柔軟に設定されてよい。その結果、チャネル状態情報報告バンドに含まれるチャネル状態情報報告サブバンドの個数は、もうシステムバンド幅で決定されることはない。新無線（ｎｅｗ  ｒａｄｉｏ、ＮＲ）システム又は５Ｇシステムにおけるチャネル状態情報報告サブバンドの個数の決定方法は、緊急に解決しなければならない技術的課題である。このことに基づいて、本出願は、チャネル状態情報報告バンドの設定及び報告の方法、並びに対応する装置を提供して、ネットワーク進化要件を満たす。
【０１０２】
本発明の実施形態において提供される技術的ソリューションは、添付図面及び具体的な実施形態を参照して詳細に説明される。
【０１０３】
図２は、本発明の一実施形態による無線通信ネットワーク２００の一例の概略図である。図２に示すように、無線通信ネットワーク２００は、基地局２０２〜２０６と、端末デバイス２０８〜２２２を含む。基地局２０２〜２０６は、バックホール（ｂａｃｋｈａｕｌ）リンク（基地局２０２〜２０６の間に直線で示されている）を用いて互いに通信してよい。バックホールリンクは、有線バックホールリンク（光ファイバ又は銅線ケーブルなど）であってもよく、又は無線バックホールリンク（マイクロ波など）であってもよい。端末デバイス２０８〜２２２は、無線リンク（基地局２０２〜２０６と端末デバイス２０８〜２２２との間にジグザグ線で示されている）を用いて、対応する基地局２０２〜２０６と通信してよい。
【０１０４】
基地局２０２〜２０６は、通常、アクセスデバイスとして用いられ、ユーザ機器として通常用いられる端末デバイス２０８〜２２２に無線アクセスサービスを提供する。具体的には、各基地局はサービスカバレッジエリア（セルとも呼ばれることがあり、図２にはそれぞれ楕円形のエリアで示されている）に対応する。このエリアに入った端末デバイスは、無線信号を用いて基地局と通信して、基地局により提供される無線アクセスサービスを受信してよい。これらの基地局のサービスカバレッジエリア間には重複エリアがあってもよく、重複エリア内の端末デバイスは、複数の基地局から無線信号を受信してよい。したがって、基地局は互いに協調して、端末デバイスにサービスを提供してよい。例えば、複数の基地局は、協調マルチポイント（ｃｏｏｒｄｉｎａｔｅｄ  ｍｕｌｔｉｐｏｉｎｔ、ＣｏＭＰ）送信／受信技術を用いて、重複エリア内の端末デバイスにサービスを提供してよい。例えば、図２に示すように、基地局２０２及び基地局２０６のサービスカバレッジエリア間に重複エリアがあり、端末デバイス２２２はその重複エリアに入っているため、端末デバイス２２２は、基地局２０２及び基地局２０６から無線信号を受信してよい。基地局２０２及び基地局２０６は互いに協調して、端末デバイス２２２にサービスを提供してよい。別の例では、図２に示すように、基地局２０２、基地局２０４、及び基地局２０６のサービスカバレッジエリア間に共通の重複エリアがあり、端末デバイス２２０はその重複エリアに入っているため、端末デバイス２２０は、基地局２０２、基地局２０４、及び基地局２０６から無線信号を受信してよい。基地局２０２、基地局２０４、及び基地局２０６は互いに協調して、端末デバイス２２０にサービスを提供してよい。
【０１０５】
基地局は、使用する無線通信技術に応じて、ＮｏｄｅＢ、進化型ＮｏｄｅＢ（ｅｖｏｌｖｅｄ  ＮｏｄｅＢ、ｅＮｏｄｅＢ）、及びアクセスポイント（ａｃｃｅｓｓ  ｐｏｉｎｔ、ＡＰ）などとも呼ばれることがある。さらに、提供されるサービスカバレッジエリアのサイズに基づいて、基地局は、マクロセル（Ｍａｃｒｏ  ｃｅｌｌ）を提供するのに用いられるマクロ基地局、ピコセルを提供するのに用いられるピコ基地局、及びフェムトセルを提供するのに用いられるフェムト基地局などに分類されてよい。無線通信技術の継続的な進化に伴って、別の名称が将来の基地局に用いられてもよい。
【０１０６】
端末デバイス２０８〜２２２は、無線通信機能を備えた様々な無線通信デバイスであってよく、例えば、限定されるものではないが、携帯電話、コードレス電話セット、携帯情報端末（ｐｅｒｓｏｎａｌ  ｄｉｇｉｔａｌ  ａｓｓｉｓｔａｎｔ、ＰＤＡ）、スマートフォン、ノートブックコンピュータ、タブレットコンピュータ、無線データカード、無線モデム（ｍｏｄｕｌａｔｏｒ  ａｎｄ  ｄｅｍｏｄｕｌａｔｏｒ）、又はスマートウォッチなどのウェアラブルデバイスであってよい。モノのインターネット（ｉｎｔｅｒｎｅｔ  ｏｆ  ｔｈｉｎｇｓ、ＩｏＴ）技術の進歩によって、これまで通信機能がなかったますます多くのデバイス、例えば、限定されるものではないが、家庭用電化製品、輸送手段、ツールデバイス、サービスデバイス、及びサービス設備が、無線通信機能を取得することにより、無線通信ネットワークにアクセスして、リモート制御を受けることができるように、無線通信ユニットが配置され始めている。無線通信ユニットがこれらの種類のデバイスに配置されているので、これらの種類のデバイスは、無線通信機能を備えている。したがって、これらの種類のデバイスも、無線通信デバイスの範囲に属している。さらに、端末デバイス２０８〜２２２は、移動局、移動デバイス、移動端末、無線端末、ハンドヘルドデバイス、及びクライアントなどとも呼ばれることがある。
【０１０７】
複数のアンテナが、基地局２０２〜２０６及び端末デバイス２０８〜２２２の双方に配置され、ＭＩＭＯ（多入力多出力、Ｍｕｌｔｉｐｌｅ  Ｉｎｐｕｔ  Ｍｕｌｔｉｐｌｅ  Ｏｕｔｐｕｔ）技術をサポートしてよい。さらに、基地局２０２〜２０６及び端末デバイス２０８〜２２２は、シングルユーザＭＩＭＯ（ｓｉｎｇｌｅ−ｕｓｅｒ  ＭＩＭＯ、ＳＵ−ＭＩＭＯ）技術及びマルチユーザＭＩＭＯ（ｍｕｌｔｉ−ｕｓｅｒ  ＭＩＭＯ、ＭＵ−ＭＩＭＯ）の両方をサポートしてよい。ＭＵ−ＭＩＭＯは、空間分割多元接続（ｓｐａｃｅ  ｄｉｖｉｓｉｏｎ  ｍｕｌｔｉｐｌｅ  ａｃｃｅｓｓ、ＳＤＭＡ）技術に基づいて実現されてよい。複数のアンテナを配置することによって、基地局２０２〜２０６及び端末デバイス２０８〜２２２はさらに、単入力単出力（ｓｉｎｇｌｅ  ｉｎｐｕｔ  ｓｉｎｇｌｅ  ｏｕｔｐｕｔ、ＳＩＳＯ）技術、単入力多出力（ｓｉｎｇｌｅ  ｉｎｐｕｔ  ｍｕｌｔｉｐｌｅ  ｏｕｔｐｕｔ、ＳＩＭＯ）技術、及び多入力単出力（ｍｕｌｔｉｐｌｅ  ｉｎｐｕｔ  ｓｉｎｇｌｅ  ｏｕｔｐｕｔ、ＭＩＳＯ）技術を柔軟にサポートし、様々なダイバーシチ（例えば、限定されるものではないが、送信ダイバーシチ及び受信ダイバーシチ）及び多重化技術を実現し得る。ダイバーシチ技術には、限定されるものではないが、送信ダイバーシチ（ｔｒａｎｓｍｉｔ  ｄｉｖｅｒｓｉｔｙ、ＴＤ）技術及び受信ダイバーシチ（ｒｅｃｅｉｖｅ  ｄｉｖｅｒｓｉｔｙ、ＲＤ）技術が含まれてよい。多重化技術は、空間多重化（ｓｐａｔｉａｌ  ｍｕｌｔｉｐｌｅｘｉｎｇ）技術であってよい。また、前述の様々な技術はさらに、複数の実装例を含んでよい。例えば、送信ダイバーシチ技術は、例えば、限定されるものではないが、時空間送信ダイバーシチ（ｓｐａｃｅ−ｔｉｍｅ  ｔｒａｎｓｍｉｔ  ｄｉｖｅｒｓｉｔｙ、ＳＴＴＤ）、空間周波数送信ダイバーシチ（ｓｐａｃｅ−ｆｒｅｑｕｅｎｃｙ  ｔｒａｎｓｍｉｔ  ｄｉｖｅｒｓｉｔｙ、ＳＦＴＤ）、時間切り替え送信ダイバーシチ（ｔｉｍｅ  ｓｗｉｔｃｈｅｄ  ｔｒａｎｓｍｉｔ  ｄｉｖｅｒｓｉｔｙ、ＴＳＴＤ）、周波数切り換え送信ダイバーシチ（ｆｒｅｑｕｅｎｃｙ  ｓｗｉｔｃｈｅｄ  ｔｒａｎｓｍｉｔ  ｄｉｖｅｒｓｉｔｙ、ＦＳＴＤ）、直交送信ダイバーシチ（ｏｒｔｈｏｇｏｎａｌ  ｔｒａｎｓｍｉｔ  ｄｉｖｅｒｓｉｔｙ、ＯＴＤ）、又は巡回遅延ダイバーシチ（ｃｙｃｌｉｃ  ｄｅｌａｙ  ｄｉｖｅｒｓｉｔｙ、ＣＤＤ）などのダイバーシチ方式、並びに前述の様々なダイバーシチ方式の派生、進化、及び組み合わせ後に取得されるダイバーシチ方式を含んでよい。例えば、時空間ブロック符号化（ｓｐａｃｅ  ｔｉｍｅ  ｂｌｏｃｋ  ｃｏｄｉｎｇ、ＳＴＢＣ）、空間周波数ブロック符号化（ｓｐａｃｅ  ｆｒｅｑｕｅｎｃｙ  ｂｌｏｃｋ  ｃｏｄｉｎｇ、ＳＦＢＣ）、及びＣＤＤなどの送信ダイバーシチ方式が、現在のロングタームエボリューション（Ｌｏｎｇ  Ｔｅｒｍ  Ｅｖｏｌｕｔｉｏｎ、ＬＴＥ）規格に用いられる。送信ダイバーシチについての一般的説明が、複数の例を用いて上記に提供されている。当業者であれば、前述の例に加えて、送信ダイバーシチはさらに、複数の他の実装例を含むことを理解するはずである。したがって、前述の説明は、本発明の技術的ソリューションへの限定と解釈されるべきではなく、本発明の技術的ソリューションは、様々な実行可能な送信ダイバーシチのソリューションに適用可能であると解釈すべきである。
【０１０８】
さらに、基地局２０２〜２０６及び端末デバイス２０８〜２２２は、様々な無線通信技術を用いて互いに通信してよい。様々な無線通信技術は、例えば、限定されるものではないが、時分割多元接続（Ｔｉｍｅ  Ｄｉｖｉｓｉｏｎ  Ｍｕｌｔｉｐｌｅ  Ａｃｃｅｓｓ、ＴＤＭＡ）技術、周波数分割多元接続（Ｆｒｅｑｕｅｎｃｙ  Ｄｉｖｉｓｉｏｎ  Ｍｕｌｔｉｐｌｅ  Ａｃｃｅｓｓ、ＦＤＭＡ）技術、符号分割多元接続（Ｃｏｄｅ  Ｄｉｖｉｓｉｏｎ  Ｍｕｌｔｉｐｌｅ  Ａｃｃｅｓｓ、ＣＤＭＡ）技術、時分割同期符号分割多元接続（Ｔｉｍｅ  Ｄｉｖｉｓｉｏｎ−Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ、ＴＤ−ＳＣＤＭＡ）技術、直交周波数分割多元接続（Ｏｒｔｈｏｇｏｎａｌ  ＦＤＭＡ、ＯＦＤＭＡ）技術、シングルキャリア周波数分割多元接続（Ｓｉｎｇｌｅ  Ｃａｒｒｉｅｒ  ＦＤＭＡ、ＳＣ−ＦＤＭＡ）技術、空間分割多元接続（Ｓｐａｃｅ  Ｄｉｖｉｓｉｏｎ  Ｍｕｌｔｉｐｌｅ  Ａｃｃｅｓｓ、ＳＤＭＡ）技術、並びにこれらの技術の進化技術及び派生技術である。無線アクセス技術（Ｒａｄｉｏ  Ａｃｃｅｓｓ  Ｔｅｃｈｎｏｌｏｇｙ、ＲＡＴ）として、前述の無線通信技術が様々な無線通信規格に用いられることにより、よく知られた様々な無線通信システム（又はネットワーク）が現在構築されている。これらの無線通信システムには、限定されるものではないが、移動通信用グローバルシステム（Ｇｌｏｂａｌ  Ｓｙｓｔｅｍ  ｆｏｒ  Ｍｏｂｉｌｅ  Ｃｏｍｍｕｎｉｃａｔｉｏｎｓ、ＧＳＭ（登録商標））ＣＤＭＡ２０００、広帯域ＣＤＭＡ（Ｗｉｄｅｂａｎｄ  ＣＤＭＡ、ＷＣＤＭＡ（登録商標））、８０２．２２系規格で定められたＷｉＦｉ、ワールドワイドインターオペラビリティフォーマイクロウェーブアクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、ＷｉＭＡＸ）、ロングタームエボリューション（Ｌｏｎｇ  Ｔｅｒｍ  Ｅｖｏｌｕｔｉｏｎ、ＬＴＥ）、ＬＴＥ−アドバンスト（ＬＴＥ−Ａｄｖａｎｃｅｄ、ＬＴＥ−Ａ）、及びこれらの無線通信システムの進化型システムが含まれる。特に断りのない限り、本発明の実施形態において提供される技術的ソリューションは、前述の様々な無線通信技術及び無線通信システムに適用可能である。さらに、用語「システム」及び「ネットワーク」は置き換えられてもよい。
【０１０９】
図２に示す無線通信ネットワーク２００は、単に一例として用いられており、本発明の技術的ソリューションの限定を意図するものではないことに留意されたい。当業者であれば、具体的な実施プロセスにおいて、無線通信ネットワーク２００はさらに別のデバイスを含んでよく、さらに基地局の個数及び端末デバイスの個数が具体的な要件に基づいて設定されてよいことを理解するはずである。
【０１１０】
具体的な実施プロセスにおいて、図２に示す基地局２０２〜２０６などのアクセスデバイスは送信側デバイスとして用いられてよく、図２に示す端末デバイス２０８〜２２２などのユーザ機器は受信側デバイスとして用いられてよい。
【０１１１】
図３は、本発明の一実施形態による通信デバイス３００の論理構造の一例の概略図である。通信デバイス３００は、受信側デバイスを実現するように構成されてもよく、又は送信側デバイスを実現するように構成されてもよい。図３に示すように、通信デバイス３００は、処理モジュール３０２及び送受信機モジュール３０４を含む。これらのモジュールの具体的な機能が以下で詳細に説明される。具体的な実施プロセスにおいて、処理モジュール３０２は、以下で説明される通信デバイス４００内のプロセッサ４０２により実現されてもよく、又は通信デバイス４００内のプロセッサ４０２及びメモリ４０８により実現されてもよく、又はもちろん別の方式で実現されてもよい。同様に、送受信機モジュール３０４は、通信デバイス４００内の送受信機４０４により実現されてもよく、又はもちろん別の方式で実現されてもよい。
【０１１２】
図４は、本発明の一実施形態による通信デバイス４００のハードウェア構造の一例の概略図である。通信デバイス４００は、受信側デバイスを実現するように構成されてもよく、又は送信側デバイスを実現するように構成されてもよい。図４に示すように、通信デバイス４００は、プロセッサ４０２、送受信機４０４、複数のアンテナ４０６、メモリ４０８、Ｉ／Ｏ（入力／出力、Ｉｎｐｕｔ／Ｏｕｔｐｕｔ）インタフェース４１０、及びバス４１２を含む。メモリ４０８はさらに、命令４０８２及びデータ４０８４を格納するように構成される。さらに、プロセッサ４０２、送受信機４０４、メモリ４０８、及びＩ／Ｏインタフェース４１０は、バス４１２を用いて互いに通信可能に接続され、複数のアンテナ４０６は送受信機４０４に接続される。具体的な実施プロセスでは、バス４１２に加えて、プロセッサ４０２、送受信機４０４、メモリ４０８、及びＩ／Ｏインタフェース４１０は、別の接続方式で互いに通信可能に接続されてもよい。
【０１１３】
プロセッサ４０２は、汎用プロセッサであってよい。汎用プロセッサは、メモリ（メモリ４０８など）に格納された命令（命令４０８２など）を読み出して実行することにより、特定の段階及び／又はオペレーションを実行するプロセッサであってよい。汎用プロセッサが前述の段階及び／又はオペレーションを実行するプロセスでは、メモリ（メモリ４０８など）に格納されたデータ（データ４０８４など）が用いられてよい。汎用プロセッサは、例えば、限定されるものではないが、中央演算処理装置（ｃｅｎｔｒａｌ  ｐｒｏｃｅｓｓｉｎｇ  ｕｎｉｔ、ＣＰＵ）であってよい。さらに、プロセッサ４０２は専用プロセッサであってもよい。専用プロセッサは、特定の段階及び／又はオペレーションを実行するように特別に設計されたプロセッサであってよい。専用プロセッサは、例えば、限定されるものではないが、デジタル信号プロセッサ（ｄｉｇｉｔａｌ  ｓｉｇｎａｌ  ｐｒｏｃｅｓｓｏｒ、ＤＳＰ）、特定用途向け集積回路（ａｐｐｌｉｃａｔｉｏｎ  ｓｐｅｃｉｆｉｃ  ｉｎｔｅｇｒａｔｅｄ  ｃｉｒｃｕｉｔ、ＡＳＩＣ）、及びフィールドプログラマブルゲートアレイ（ｆｉｅｌｄ  ｐｒｏｇｒａｍｍａｂｌｅ  ｇａｔｅ  ａｒｒａｙ、ＦＰＧＡ）であってよい。さらに、プロセッサ４０２は、複数のプロセッサの組み合わせ、例えば、マルチコアプロセッサであってもよい。
【０１１４】
送受信機４０４は、信号を送受信するように構成される。信号を送受信する具体的なプロセスが、複数のアンテナ４０６のうちの少なくとも１つを用いて実行される。
【０１１５】
メモリ４０８は、様々な種類の記憶媒体、例えば、ランダムアクセスメモリ（ｒａｎｄｏｍ  ａｃｃｅｓｓ  ｍｅｍｏｒｙ、ＲＡＭ）、リードオンリメモリ（ｒｅａｄ  ｏｎｌｙ  ｍｅｍｏｒｙ、ＲＯＭ）、不揮発性ＲＡＭ（ｎｏｎ−ｖｏｌａｔｉｌｅ  ＲＡＭ、ＮＶＲＡＭ）、プログラム可能型ＲＯＭ（ｐｒｏｇｒａｍｍａｂｌｅ  ＲＯＭ、ＰＲＯＭ）、消去可能ＰＲＯＭ（ｅｒａｓａｂｌｅ  ＰＲＯＭ、ＥＰＲＯＭ）、電気的消去可能ＰＲＯＭ（ｅｌｅｃｔｒｉｃａｌｌｙ  ｅｒａｓａｂｌｅ  ＰＲＯＭ、ＥＥＰＲＯＭ）、フラッシュメモリ、光メモリ、及びレジスタであってよい。メモリ４０８は具体的に、命令４０８２及びデータ４０８４を格納するように構成される。プロセッサ４０２が汎用プロセッサである場合、プロセッサ４０２は、メモリ４０８に格納された命令４０８２を読み出して実行することにより、特定の段階及び／又はオペレーションを実行してよい。前述の段階及び／又はオペレーションを実行するプロセスでは、データ４０８４を用いる必要があり得る。
【０１１６】
Ｉ／Ｏインタフェース４１０は、命令及び／又はデータを周辺機器から受信し、命令及び／又はデータを周辺機器に出力するように構成される。
【０１１７】
具体的な実施プロセスにおいて、プロセッサは、例えば、限定されるものではないが、ベースバンド関連の処理を実行するように構成されてよい。送受信機は、例えば、限定されるものではないが、無線周波数の送受信を実行するように構成されてよい。前述の複数のデバイスは、相互に独立したチップに別々に配置されてよい。あるいは、これらのデバイスの少なくとも一部又は全てが、同じチップに配置されてもよい。例えば、プロセッサはさらに、アナログベースバンドプロセッサ及びデジタルベースバンドプロセッサに分類されてよい。アナログベースバンドプロセッサ及び送受信機は、同じチップに集積されてよい。デジタルベースバンドプロセッサは、独自のチップに配置されてよい。集積回路技術の継続的な発展によって、より多くのデバイスを同じチップに集積できる。例えば、デジタルベースバンドプロセッサ及び複数のアプリケーションプロセッサ（例えば、限定されるものではないが、画像プロセッサ及びマルチメディアプロセッサ）は、同じチップに集積されてよい。そのようなチップは、システムオンチップと呼ばれることがある。これらのデバイスが異なるチップに個別に配置されるのか、又は１つ又は複数のチップに一体的に配置されるのかは、製品設計の具体的な要件によって決まる。前述の構成要素の具体的な実装形態が、本発明のこの実施形態において限定されることはない。
【０１１８】
具体的な実施プロセスにおいて、通信デバイス４００はさらに、他のハードウェアデバイスを含んでもよく、他のハードウェアデバイスを本明細書において１つ１つ列挙しないことに留意されたい。
【０１１９】
これらのハードウェアデバイスの通信デバイス４００における具体的な機能が、以下で詳細に説明される。
【０１２０】
図５は、本発明の一実施形態によるチャネル状態情報報告バンドを設定する方法５００の一例のフローチャートである。具体的な実施プロセスにおいて、方法５００は、送信側デバイスにより実行されても、又は受信側デバイスにより実行されてもよい。送信側デバイス又は受信側デバイスは、図３に示す通信デバイス３００と、図４に示す通信デバイス４００とにより実現されてよい。
【０１２１】
この実施形態において提供される方法５００では、送信側デバイスは、ネットワークデバイスであっても又は端末であってもよい。言い換えれば、本出願において提供される方法の手順は、ネットワークデバイスにより実現されても、又は端末により実現されてもよい。ネットワークデバイスは、まず、ＣＳＩ報告バンドに含まれるサブバンドサイズ、サブバンドの個数、開始位置、及び終了位置などを設定し、次に、この情報を端末に示してよい。端末は、本方法に基づいて自ら、ＣＳＩ報告バンドに含まれるサブバンドサイズ、サブバンドの個数、開始位置、及び終了位置を設定し、この情報を設定提案としてネットワークデバイスに送出してよい。
【０１２２】
段階５０２：バンド幅部分（Ｂａｎｄｗｉｄｔｈ  Ｐａｒｔ、ＢＷＰ）に基づいて、チャネル状態情報サブバンドサイズを決定する。
【０１２３】
段階５０４：キャリアコンポーネント（ＣＣ）バンド幅又はバンド幅部分（ＢＷＰ）又はチャネル状態情報参照信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ、ＣＳＩ−ＲＳ）バンド幅と、チャネル状態情報サブバンドサイズとに基づいて、チャネル状態情報報告バンドに含まれるチャネル状態情報サブバンドの個数を決定する。
【０１２４】
具体的な実施プロセスにおいて、段階５０２及び段階５０４は、処理モジュール３０２とプロセッサ４０２とにより実行されてよい。
【０１２５】
チャネル状態情報サブバンドサイズは、チャネル状態情報サブバンドに含まれるリソースブロックの最大個数であり、リソースブロックの最大個数は、バンド幅部分（ＢＷＰ）に含まれるリソースブロックの総数によって決定される。
【０１２６】
具体的には、チャネル状態情報サブバンドサイズは、以下の表３に基づいて決定される。
【表３】
0006977920.tif 000004
【０１２７】
例えば、簡潔にバンド幅部分（ＢＷＰ）と呼ばれる、キャリアのバンド幅部分内のリソースブロックの総数（ＰＲＢｓ）が２４個より少ない場合、分割されたＣＳＩサブバンドはない。又は、ＢＷＰ内のＰＲＢの総数が２４〜７２個である場合、ＣＳＩサブバンドサイズは４若しくは８である。又は、ＢＷＰ内のＰＲＢの総数が７３〜１４４個である場合、ＣＳＩサブバンドサイズは８若しくは１６である。又は、ＢＷＰ内のＰＲＢの総数が１４５〜２７５個である場合、ＣＳＩサブバンドサイズは１６若しくは３２である。
【０１２８】
方法５００において、チャネル状態情報は、例えば、限定されるものではないが、ＣＱＩ、ＰＭＩ、ＲＩ、及びＣＲＩのうちの１つであってよい。具体的な実施プロセスにおいて、送信側デバイスは、様々な種類のチャネル状態情報を受信側デバイス用に設定してよいことに留意されたい。あるいは、受信側デバイスは、様々な種類のチャネル状態情報を自ら設定してもよい。各種類のチャネル状態情報は、方法５００を参照して設定されてよい。受信側デバイスは、チャネル状態情報サブバンドの様々な種類のチャネル状態情報を送信側デバイスにフィードバックしてよい。
【０１２９】
段階５０４において、キャリアコンポーネント（ＣＣ）バンド幅又はバンド幅部分（ＢＷＰ）又はチャネル状態情報参照信号（ＣＳＩ−ＲＳ）バンド幅と、チャネル状態情報サブバンドサイズとに基づいて、チャネル状態情報報告バンドに含まれるチャネル状態情報サブバンドの個数を決定する段階は具体的に、キャリアコンポーネント（ＣＣ）バンド幅に含まれるリソースブロックの総数をチャネル状態情報サブバンドサイズで除算し、次に、その除算の結果より大きいかそれに等しい最小の整数を計算して、チャネル状態情報報告バンドに含まれるチャネル状態情報サブバンドの個数を求める段階、又は、バンド幅部分（ＢＷＰ）に含まれるリソースブロックの総数をチャネル状態情報サブバンドサイズで除算し、次に、その除算の結果より大きいかそれに等しい最小の整数を計算して、チャネル状態情報報告バンドに含まれるチャネル状態情報サブバンドの個数を求める段階、又は、チャネル状態情報参照信号（ＣＳＩ−ＲＳ）バンド幅に含まれるリソースブロックの総数をチャネル状態情報サブバンドサイズで除算し、次に、その除算の結果より大きいかそれに等しい最小の整数を計算して、チャネル状態情報報告バンドに含まれるチャネル状態情報サブバンドの個数を求める段階を含む。
【０１３０】
チャネル状態情報サブバンドは、最初のチャネル状態情報サブバンド、最後のチャネル状態情報サブバンド、及び通常のチャネル状態情報サブバンドを含む。
【０１３１】
最初のチャネル状態情報サブバンドは、開始チャネル状態情報サブバンド、若しくは先頭チャネル状態情報サブバンドとも呼ばれることがあり、又は、本明細書では簡潔に開始サブバンドと呼ばれることがある。最後のチャネル状態情報サブバンドは、終了チャネル状態情報サブバンド、若しくは末端チャネル状態情報サブバンドとも呼ばれることがあり、又は、本明細書では簡潔に終了サブバンドと呼ばれることがある。通常のチャネル状態情報サブバンドは、チャネル状態情報サブバンドのうちの最初のチャネル状態情報サブバンド及び最後のチャネル状態情報サブバンド以外のサブバンドである。通常のチャネル状態情報サブバンドは、普通チャネル状態情報サブバンドとも呼ばれることがあり、本明細書では簡潔に普通サブバンドと呼ばれることがある。詳細については、再度以下で説明しない。
【０１３２】
一実装例において、送信側デバイス又は受信側デバイスは、最初のチャネル状態情報サブバンドに含まれるリソースブロックの実際の個数と、最後のチャネル状態情報サブバンドに含まれるリソースブロックの実際の個数とを決定してよい。
【０１３３】
別の実装例において、送信側デバイスは、最初のチャネル状態情報サブバンドに含まれるリソースブロックの実際の個数と、最後のチャネル状態情報サブバンドに含まれるリソースブロックの実際の個数とを決定し、次に、リソースブロックの実際の個数を受信側デバイスに送出する。
【０１３４】
最初のチャネル状態情報サブバンドに含まれるリソースブロックの実際の個数を決定する段階は、［チャネル状態情報報告バンドのＣＣバンド幅に対応する、最初のチャネル状態情報サブバンドに含まれるリソースブロックの実際の個数］＝［通常のチャネル状態情報サブバンドに含まれるリソースブロックの実際の個数］−ｍｏｄ（［ＣＣバンド幅の初期リソースブロックのインデックス番号］，［通常のチャネル状態情報サブバンドに含まれるリソースブロックの実際の個数］）であると決定する段階、又は、［チャネル状態情報報告バンドのＢＷＰに対応する、最初のチャネル状態情報サブバンドに含まれるリソースブロックの実際の個数］＝［通常のチャネル状態情報サブバンドに含まれるリソースブロックの実際の個数］−ｍｏｄ（［ＢＷＰの初期リソースブロックのインデックス番号］，［通常のチャネル状態情報サブバンドに含まれるリソースブロックの実際の個数］）であると決定する段階、又は、［チャネル状態情報報告バンドのＣＳＩ−ＲＳバンド幅に対応する、最初のチャネル状態情報サブバンドに含まれるリソースブロックの実際の個数］＝［通常のチャネル状態情報サブバンドに含まれるリソースブロックの実際の個数］−ｍｏｄ（［ＣＳＩ−ＲＳの初期リソースブロックのインデックス番号］，［通常のチャネル状態情報サブバンドに含まれるリソースブロックの実際の個数］）であると決定する段階を含み、最初のチャネル状態情報サブバンドに含まれるリソースブロックの実際の個数は、通常のチャネル状態情報サブバンドに含まれるリソースブロックの実際の個数より少ないかそれに等しい。
【０１３５】
本方法はさらに、最後のチャネル状態情報サブバンドに含まれるリソースブロックの実際の個数を決定する段階は具体的に、チャネル状態情報報告バンドのＣＣバンド幅に対応する、最後のチャネル状態情報サブバンドに含まれるリソースブロックの実際の個数を決定する段階であり、すなわち、リソースブロックの剰余を決定する段階を含み、［リソースブロックの剰余］＝ｍｏｄ（（［ＣＣバンド幅の初期リソースブロックのインデックス番号］＋［ＣＣバンド幅に含まれるリソースブロックの総数］），［通常のチャネル状態情報サブバンドに含まれるリソースブロックの実際の個数］）であり、リソースブロックの剰余が０より多い場合、［チャネル状態情報報告バンドのＣＣバンド幅に対応する、最後のチャネル状態情報サブバンドに含まれるリソースブロックの実際の個数］＝［リソースブロックの剰余］であり、又は、リソースブロックの剰余が０に等しい場合、［チャネル状態情報報告バンドのＣＣバンド幅に対応する、最後のチャネル状態情報サブバンドに含まれるリソースブロックの実際の個数］＝［通常のチャネル状態情報サブバンドに含まれるリソースブロックの実際の個数］である。
【０１３６】
あるいは、チャネル状態情報報告バンドのＢＷＰに対応する、最後のチャネル状態情報サブバンドに含まれるリソースブロックの実際の個数を決定する段階は、リソースブロックの剰余を決定する段階であって、［リソースブロックの剰余］＝ｍｏｄ（（［ＢＷＰの初期リソースブロックのインデックス番号］＋［ＢＷＰに含まれるリソースブロックの総数］），［通常のチャネル状態情報サブバンドに含まれるリソースブロックの実際の個数］）である、段階を含み、リソースブロックの剰余が０より多い場合、［チャネル状態情報報告バンドのＢＷＰに対応する、最後のチャネル状態情報サブバンドに含まれるリソースブロックの実際の個数］＝［リソースブロックの剰余］であり、又は、リソースブロックの剰余が０に等しい場合、［チャネル状態情報報告バンドのＢＷＰに対応する、最後のチャネル状態情報サブバンドに含まれるリソースブロックの実際の個数］＝［通常のチャネル状態情報サブバンドに含まれるリソースブロックの実際の個数］である。
【０１３７】
あるいは、チャネル状態情報報告バンドのＣＳＩ−ＲＳバンド幅に対応する、最後のチャネル状態情報サブバンドに含まれるリソースブロックの実際の個数を決定する段階は、リソースブロックの剰余を決定する段階であって、［リソースブロックの剰余］＝ｍｏｄ（（［ＣＳＩ−ＲＳバンド幅の初期リソースブロックのインデックス番号］＋［ＣＳＩ−ＲＳバンド幅に含まれるリソースブロックの総数］），［通常のチャネル状態情報サブバンドに含まれるリソースブロックの実際の個数］）である、段階を含み、リソースブロックの剰余が０より多い場合、［チャネル状態情報報告バンドのＣＳＩ−ＲＳバンド幅に対応する、最後のチャネル状態情報サブバンドに含まれるリソースブロックの実際の個数］＝［リソースブロックの剰余］であり、又は、リソースブロックの剰余が０に等しい場合、［チャネル状態情報報告バンドのＣＳＩ−ＲＳバンド幅に対応する、最後のチャネル状態情報サブバンドに含まれるリソースブロックの実際の個数］＝［通常のチャネル状態情報サブバンドに含まれるリソースブロックの実際の個数］である。
【０１３８】
また、本方法はさらに、通常のチャネル状態情報サブバンドに含まれるリソースブロックの実際の個数が、チャネル状態情報サブバンドに含まれるリソースブロックの最大個数に等しいと決定する段階を含む。
【０１３９】
別の態様において、チャネル状態情報報告バンドに含まれるチャネル状態情報サブバンドに関連した情報、例えば、チャネル状態情報サブバンドの個数、又はさらに、チャネル状態情報サブバンドにおいて、最初のチャネル状態情報サブバンドに含まれるリソースブロックの実際の個数、若しくは最後のチャネル状態情報サブバンドに含まれるリソースブロックの実際の個数が、送信側デバイスにより指定されて受信側デバイスに示されてよい。この場合、方法５００は、送信側デバイスにより実行され、さらに以下に挙げる段階を含んでよい。
【０１４０】
段階５０６（不図示）：送信側デバイスは、それぞれのチャネル状態情報サブバンドが報告サブバンドであるか又は非報告サブバンドであるかを示す報告サブバンド設定情報を受信側デバイスに送出する。言い換えれば、報告サブバンド設定情報は、チャネル状態情報報告バンド内のどのサブバンドが報告サブバンドであるか、またどのサブバンドが報告サブバンドではないのかを示すのに用いられる。
【０１４１】
報告サブバンド設定情報は情報ビットで表され、情報ビットの個数は、チャネル状態情報サブバンドの個数と同じである。
【０１４２】
一実装例において、報告サブバンド設定情報は、チャネル状態情報サブバンドの個数を示すか、又はチャネル状態情報サブバンドの開始位置若しくはチャネル状態情報サブバンドの開始位置及び終了位置をさらに示す。
【０１４３】
本発明の実施形態の全てにおいて、非報告サブバンドは、ロストサブバンド又は省略サブバンドとも呼ばれることがある。非報告サブバンドとは、チャネル状態情報を報告する必要のないサブバンドである。
【０１４４】
報告サブバンド設定情報は、第１の情報ビットを含む。第１の情報ビットは、報告バンド内のチャネル状態情報サブバンドのうちの報告サブバンド又は非報告サブバンドを示す、すなわち、チャネル状態情報サブバンドのうちのどのサブバンドが報告サブバンドであり、どのサブバンドが非報告サブバンドであるかを示すのに用いられる。言い換えれば、報告サブバンド設定情報はビットマップ（ｂｉｔｍａｐ）を用いて実現される。
【０１４５】
任意選択的に、報告バンド内のチャネル状態情報サブバンドの全てが報告サブバンドであってよく、又はこれらのチャネル状態情報サブバンドの一部が報告サブバンドで、残りのチャネル状態情報サブバンドが非報告サブバンドである。報告サブバンドは情報ビット１を用いて表されてよく、非報告サブバンドは情報ビット０を用いて表されてよい。又は、報告サブバンドは情報ビット０を用いて表され、非報告サブバンドは情報ビット１を用いて表される。
【０１４６】
任意選択的に、第１の情報ビットの個数は報告サブバンドの実際の個数と同じであり、第１の情報ビットの全ては報告サブバンド及び非報告サブバンドを示すのに用いられるか、又は、第１の情報ビットの個数はシステムが許容する報告サブバンドの最大個数と同じであり、第１の情報ビットの全て若しくは一部は報告サブバンド及び非報告サブバンドを示すのに用いられる。
【０１４７】
任意選択的に、報告サブバンド設定情報はさらに、チャネル状態情報報告バンドのチャネル状態情報参照信号に対応するチャネル状態情報サブバンドにおいて、最初のチャネル状態情報サブバンドに含まれるリソースブロックの実際の個数、又は最後のチャネル状態情報サブバンドに含まれるリソースブロックの実際の個数を示してよい。
【０１４８】
具体的な実施プロセスにおいて、段階５０６は、送受信機モジュール３０４及び送受信機４０４により実行されてよい。
【０１４９】
もちろん、報告サブバンド設定情報は、送信側デバイス又は受信側デバイスにローカルに予め格納されてもよい。ローカルに予め格納された報告サブバンド設定情報を検索し、非報告サブバンド設定情報に基づいて少なくとも１つの報告サブバンドを決定する段階が、処理モジュール３０２及びプロセッサ４０２により実行されてよい。前述の報告サブバンド設定プロセスは方法５００の一部として用いられてよく、又は方法５００は前述のプロセスの一部として用いられてよいことに留意されたい。
【０１５０】
前述の報告バンド内の複数のサブバンドが複数のグループに分割された場合、具体的な実装例において、報告サブバンド設定情報は報告サブバンドグループ設定情報と置き換えられてよい。報告サブバンドグループ設定情報は、報告バンド内のどのサブバンドグループが報告サブバンドグループであるかを示すのに用いられる。報告サブバンド設定情報又は報告サブバンドグループインジケーション情報は、少なくとも１つの報告サブバンド又は少なくとも１つの報告サブバンドグループを示すのに用いられる。報告サブバンド設定情報又は報告サブバンドグループ設定情報は具体的に、各報告サブバンド若しくは各報告サブバンドグループを示してもよく、又は報告サブバンド若しくは報告サブバンドグループの設定ソリューションを示してもよい。前者のソリューションでは、インジケーション方式がより柔軟であるが、インジケーションオーバーヘッドが比較的高いと理解することは難しくない。後者のソリューションでは、インジケーションオーバーヘッドが比較的低く、インジケーション方式が比較的固定されている。報告サブバンド又は報告サブバンドグループ用の設定ソリューションが用いられる場合、報告サブバンド又は報告サブバンドグループ用の複数の設定ソリューションが、通信規格で合意されてよく、報告サブバンド又は報告サブバンドグループ用のこれらの設定ソリューションは、受信側デバイス及び送信側デバイスを提供する前に、受信側デバイス及び送信側デバイスに書き込まれてよく、その結果、受信側デバイスと送信側デバイスとのインタラクションプロセスにおいて、報告サブバンド又は報告サブバンドグループは、報告サブバンド又は報告サブバンドグループ用の設定ソリューションのインデックスを転送することによって示される。さらに、非報告サブバンド用の複数の設定ソリューションが、送信側デバイスと受信側デバイスとの間のインタラクションプロセス（例えば、初期アクセスプロセス）において、送信側デバイスによって受信側デバイス用に設定されてもよい。この場合、方法５００はさらに、報告サブバンド設定情報又は報告サブバンドグループ設定情報を送信側デバイスから受信する段階であって、報告サブバンド設定情報又は報告サブバンドグループ設定情報は、報告サブバンド又は報告サブバンドグループ用の複数の設定ソリューションを含み、各設定ソリューションは、複数の報告サブバンド又は複数の報告サブバンドグループを含む報告サブバンドを記録する、段階と、報告サブバンド設定情報又は報告サブバンドグループ設定情報に基づいて、報告サブバンド用の複数の設定ソリューションを決定する段階とを含んでよい。
【０１５１】
具体的な実施プロセスにおいて、報告サブバンド設定情報を送信側デバイスから受信する前述の段階は、送受信機モジュール３０４及び送受信機４０４により実行されてよく、報告サブバンド設定情報に基づいて、報告サブバンド用の複数の設定ソリューションを決定する前述の段階は、処理モジュール３０２及びプロセッサ４０２により実行されてよい。前述の報告サブバンド設定プロセスは方法５００の一部として用いられてよく、又は方法５００は前述のプロセスの一部として用いられてよいことに留意されたい。
【０１５２】
具体的な実施プロセスにおいて、報告サブバンド設定情報又は報告サブバンドグループ設定情報は、以下に挙げるシグナリング、すなわち、物理層シグナリング、媒体アクセス制御層シグナリング、及び無線リソース制御シグナリングのうちの１つを用いて送出されてよい。
【０１５３】
通常、報告サブバンド設定情報又は報告サブバンドグループ設定情報の送出期間は比較的長い。したがって、報告サブバンド設定情報又は報告サブバンドグループ設定情報を転送するのに、媒体アクセス制御層シグナリング又は無線リソース制御シグナリングが優先的に用いられてよい。
【０１５４】
別の態様では、ＣＳＩ報告サブバンドの個数が、通信規格で予め指定されてもよい。報告サブバンドの個数を示す方式と比較して、報告サブバンドの個数を通信規格で予め指定する方式は、インジケーションによってもたらされるシグナリングオーバーヘッドの低減に有益であると理解することは難しくない。
【０１５５】
報告サブバンド設定情報又は報告サブバンドグループ設定情報は、１つのメッセージを用いて転送されてもよく、又は複数のメッセージを用いて転送されてもよい。具体的な転送方式が、本発明のこの実施形態において限定されることはない。さらに、複数の同じ種類の情報（チャネル状態情報など）が、相互に独立した方式で測定報告に含まれてもよく、又は相互に関連した方式で測定報告に含まれてもよく、又は別の方式で測定報告に含まれてもよい。例えば、前述の相互関連方式は差分方式であってよい。例えば、具体的な包含方式が、本発明のこの実施形態において限定されることはない。
【０１５６】
報告サブバンドを頻繁に又は動的に示す必要がある場合、報告サブバンド設定情報又は報告サブバンドグループ設定情報は、物理層シグナリングを用いて優先的に転送されてよい。
【０１５７】
物理層シグナリングは、レイヤ１（Ｌ１）シグナリングとも呼ばれることがあり、物理層シグナリングは通常、物理層フレームの制御部分で搬送され得る。Ｌ１シグナリングの代表例が、ＬＴＥ規格において定められた物理ダウンリンク制御チャネル（ｐｈｙｓｉｃａｌ  ｄｏｗｎｌｉｎｋ  ｃｏｎｔｒｏｌ  ｃｈａｎｎｅｌ、ＰＤＣＣＨ）で搬送されるダウンリンク制御情報（ｄｏｗｎｌｉｎｋ  ｃｏｎｔｒｏｌ  ｉｎｆｏｒｍａｔｉｏｎ、ＤＣＩ）である。場合によっては、Ｌ１シグナリングは、物理層フレームのデータ部分でも搬送され得る。Ｌ１シグナリングの送出期間又はシグナリング期間は、通常、物理層フレームの期間であると分かることは難しくない。したがって、そのようなシグナリングは通常、動的な制御を実現するのに用いられ、頻繁に変わる一部の情報を転送する。例えば、リソース割り当て情報が、物理層シグナリングを用いて転送されてよい。
【０１５８】
媒体アクセス制御（ｍｅｄｉａ  ａｃｃｅｓｓ  ｃｏｎｔｒｏｌ、ＭＡＣ）層シグナリングは、レイヤ２（Ｌａｙｅｒ  ２）シグナリングに属し、媒体アクセス制御層シグナリングは通常、例えば、限定されるものではないが、レイヤ２フレームのフレームヘッダで搬送され得る。フレームヘッダはさらに、例えば、限定されるものではないが、送信元アドレス及び送信先アドレスなどの情報を搬送し得る。フレームヘッダに加えて、レイヤ２フレームは通常さらに、フレームボディを含む。場合によっては、Ｌ２シグナリングは、レイヤ２フレームのフレームボディでも搬送され得る。レイヤ２シグナリングの代表例が、８０２．１１系規格におけるＭＡＣフレームのフレームヘッダにあるフレーム制御（Ｆｒａｍｅ  Ｃｏｎｔｒｏｌ）フィールド、又は一部のプロトコルにおいて定められたＭＡＣ制御エンティティ（ｃｏｎｔｒｏｌ  ｅｎｔｉｔｙ、ＭＡＣ−ＣＥ）で搬送されるシグナリングである。レイヤ２フレームは通常、物理層フレームのデータ部分で搬送され得る。前述の報告サブバンド設定情報は、媒体アクセス制御層シグナリング以外の別のレイヤ２シグナリングを用いて送出されてもよい。
【０１５９】
無線リソース制御（ｒａｄｉｏ  ｒｅｓｏｕｒｃｅ  ｃｏｎｔｒｏｌ、ＲＲＣ）シグナリングはレイヤ３（Ｌａｙｅｒ  ３）シグナリングに属し、無線リソース制御シグナリングは通常、いくつかの制御メッセージである。Ｌ３シグナリングは通常、レイヤ２フレームのフレームボディで搬送され得る。Ｌ３シグナリングの送出期間又は制御期間は比較的長く、Ｌ３シグナリングは、頻繁に変わらない一部の情報を送出するのに用いることができる。例えば、一部の既存の通信規格において、Ｌ３シグナリングは通常、一部の設定情報を搬送するのに用いられる。報告サブバンド設定情報又は報告サブバンドグループ設定情報は、ＲＲＣシグナリング以外の別のレイヤ３シグナリングを用いて送出されてもよい。
【０１６０】
前述の説明は、物理層シグナリング、ＭＡＣ層シグナリング、ＲＲＣシグナリング、レイヤ１シグナリング、レイヤ２シグナリング、及びレイヤ３シグナリングの、単に原理説明にすぎない。３種類のシグナリングの具体的な詳細については、先行技術を参照されたい。したがって、詳細は本明細書では説明しない。
【０１６１】
サブバンドがグループ化された場合、非報告サブバンドごとに、受信側デバイスは、チャネル推定によって非報告サブバンドのチャネル状態情報を取得してもよいが、まだ非報告サブバンドのチャネル状態情報を送信側デバイスに送出しない。さらに、送信側デバイスは、非報告サブバンドのチャネル状態情報を自ら設定してもよい。言い換えれば、非報告サブバンドのチャネル状態情報を設定するときに、送信側デバイスは、実際のチャネル環境を考慮しなくてもよい。チャネル測定によりもたらされるフィードバックのオーバーヘッドが、この設計ソリューションを用いることにより低下し得ると理解することは難しくない。
【０１６２】
非報告サブバンドのチャネル状態情報を取得した後に、送信側デバイスはさらに、チャネル状態情報を調整してよい。この調整に関連する内容は、既に明確に上述されている。したがって、詳細は再度ここで説明しない。
【０１６３】
チャネル状態情報はＣＱＩであってよく、各報告サブバンドのチャネル状態情報及び各非報告サブバンドのチャネル状態情報はＰＭＩであってもよく、又は各報告サブバンドのチャネル状態情報及び各非報告サブバンドのチャネル状態情報はＣＱＩであってもよい。これに関連する内容は先行技術に属し、詳細は本発明のこの実施形態では説明しない。前述のチャネル関連情報が測定対象バンドのチャネル状態情報であり、またチャネル状態情報の種類、各報告サブバンドのチャネル状態情報、及び各非報告サブバンドのチャネル状態情報が同じである場合、測定対象バンドのチャネル状態情報及び各報告サブバンドのチャネル状態情報は、差分方式で報告されてよい。具体的には、測定対象バンドのチャネル状態情報、及び各報告サブバンドのチャネル状態情報と測定対象バンドのチャネル状態情報との間の差が報告されてよい。
【０１６４】
具体的な実施プロセスにおいて、チャネル関連情報に関する具体的な内容が、この実施形態において限定されることはない。
【０１６５】
図６は、本発明の一実施形態によるチャネル測定方法６００の一例のフローチャートである。具体的な実施プロセスにおいて、方法６００は受信側デバイスにより実行されてよい。受信側デバイスは、図３に示す通信デバイス３００及び図４に示す通信デバイス４００を用いて実現されてよい。具体的には、受信側デバイスは端末であってよく、対応する送信側デバイスはネットワークデバイスであってよい。
【０１６６】
段階６０２：チャネル状態情報サブバンドを示し、送信側デバイスにより送出される、報告サブバンド設定情報を受信する。報告サブバンド設定情報は、チャネル状態情報サブバンドが報告サブバンドであるか又は非報告サブバンドであるかを示し、チャネル状態情報サブバンドはチャネル状態情報報告バンドに属する。
【０１６７】
具体的な実施プロセスにおいて、段階６０２は、送受信機モジュール３０４及び送受信機４０４により実行されてよい。
【０１６８】
段階６０４：報告サブバンド設定情報に基づいて、各チャネル状態情報サブバンドのサイズ及び位置を決定する。
【０１６９】
具体的な実施プロセスにおいて、段階６０４は、処理モジュール３０２及びプロセッサ４０２により実行されてよい。
【０１７０】
１つの方式は、報告サブバンド設定情報が情報ビットを用いて表されるというものであり、チャネル状態情報報告バンドに含まれるチャネル状態情報サブバンドの個数を受信側デバイスが決定することは、情報ビットの個数に基づいて、チャネル状態情報報告バンドに含まれるチャネル状態情報サブバンドの個数を受信側デバイスが決定することを含む。
【０１７１】
１つの実装例は、受信側デバイスにより受信され、ネットワークデバイスにより送出される報告サブバンド設定情報が、チャネル状態情報報告バンドに含まれるチャネル状態情報サブバンドの個数を含まない場合、受信側デバイスは、キャリアコンポーネント（ＣＣ）バンド幅又はバンド幅部分（ＢＷＰ）又はチャネル状態情報参照信号（ＣＳＩ−ＲＳ）バンド幅と、チャネル状態情報サブバンドサイズとに基づいて、チャネル状態情報報告バンドに含まれるチャネル状態情報サブバンドの個数を決定するというものである。具体的には、キャリアコンポーネント（ＣＣ）バンド幅に含まれるリソースブロックの総数をチャネル状態情報サブバンドサイズで除算し、次に、その除算の結果より大きいかそれに等しい最小の整数を計算して、チャネル状態情報報告バンドに含まれるチャネル状態情報サブバンドの個数を求めるか、又は、バンド幅部分（ＢＷＰ）に含まれるリソースブロックの総数をチャネル状態情報サブバンドサイズで除算し、次に、その除算の結果より大きいかそれに等しい最小の整数を計算して、チャネル状態情報報告バンドに含まれるチャネル状態情報サブバンドの個数を求めるか、又は、チャネル状態情報参照信号（ＣＳＩ−ＲＳ）バンド幅に含まれるリソースブロックの総数をチャネル状態情報サブバンドサイズで除算し、次に、その除算の結果より大きいかそれに等しい最小の整数を計算して、チャネル状態情報報告バンドに含まれるチャネル状態情報サブバンドの個数を求める。
【０１７２】
別の実装例は、受信側デバイスが送信側デバイスにより送出される報告サブバンド設定情報を受信するというものであり、報告サブバンド設定情報はさらに、最初のチャネル状態情報サブバンド又は最後のチャネル状態情報サブバンドに含まれるリソースブロックの実際の個数を含み、受信側デバイスは、最初のチャネル状態情報サブバンド又は最後のチャネル状態情報サブバンドに含まれるリソースブロックの実際の個数とチャネル状態情報サブバンドサイズとに基づいて、最初のチャネル状態情報サブバンド又は最後のチャネル状態情報サブバンドに含まれるリソースブロックのインデックス番号を決定する。
【０１７３】
チャネル状態情報サブバンドは、最初のチャネル状態情報サブバンド、最後のチャネル状態情報サブバンド、及び通常のチャネル状態情報サブバンドを含む。
【０１７４】
受信側デバイスはさらに、最初のチャネル状態情報サブバンドに含まれるリソースブロックの実際の個数及び最後のチャネル状態情報サブバンドに含まれるリソースブロックの実際の個数を決定してよく、すなわち、［チャネル状態情報報告バンドのＣＣバンド幅に対応する、最初のチャネル状態情報サブバンドに含まれるリソースブロックの個数］＝［通常のチャネル状態情報サブバンドに含まれるリソースブロックの実際の個数］−ｍｏｄ（［ＣＣバンド幅の初期リソースブロックのインデックス番号］，［通常のチャネル状態情報サブバンドに含まれるリソースブロックの実際の個数］）であると決定するか、又は、［チャネル状態情報報告バンドのＢＷＰに対応する、最初のチャネル状態情報サブバンドに含まれるリソースブロックの実際の個数］＝［通常のチャネル状態情報サブバンドに含まれるリソースブロックの実際の個数］−ｍｏｄ（［ＢＷＰの初期リソースブロックのインデックス番号］，［通常のチャネル状態情報サブバンドに含まれるリソースブロックの実際の個数］）であると決定するか、又は、［チャネル状態情報報告バンドのＣＳＩ−ＲＳバンド幅に対応する、最初のチャネル状態情報サブバンドに含まれるリソースブロックの実際の個数］＝［通常のチャネル状態情報サブバンドに含まれるリソースブロックの実際の個数］−ｍｏｄ（［ＣＳＩ−ＲＳの初期リソースブロックのインデックス番号］，［通常のチャネル状態情報サブバンドに含まれるリソースブロックの実際の個数］）であると決定してよく、最初のチャネル状態情報サブバンドに含まれるリソースブロックの実際の個数は、通常のチャネル状態情報サブバンドに含まれるリソースブロックの実際の個数より少ないかそれに等しい。
【０１７５】
最後のチャネル状態情報サブバンドに含まれるリソースブロックの実際の個数を受信側デバイスが決定することは具体的に、チャネル状態情報報告バンドのＣＣバンド幅に対応する、最後のチャネル状態情報サブバンドに含まれるリソースブロックの実際の個数を決定すること、すなわち、リソースブロックの剰余を決定することであり、［リソースブロックの剰余］＝ｍｏｄ（（［ＣＣバンド幅の初期リソースブロックのインデックス番号］＋［ＣＣバンド幅に含まれるリソースブロックの総数］），［通常のチャネル状態情報サブバンドに含まれるリソースブロックの実際の個数］）であり、リソースブロックの剰余が０より多い場合、［チャネル状態情報報告バンドのＣＣバンド幅に対応する、最後のチャネル状態情報サブバンドに含まれるリソースブロックの実際の個数］＝［リソースブロックの剰余］であり、又は、リソースブロックの剰余が０に等しい場合、［チャネル状態情報報告バンドのＣＣバンド幅に対応する、最後のチャネル状態情報サブバンドに含まれるリソースブロックの実際の個数］＝［通常のチャネル状態情報サブバンドに含まれるリソースブロックの実際の個数］である。
【０１７６】
チャネル状態情報報告バンドのＢＷＰに対応する、最後のチャネル状態情報サブバンドに含まれるリソースブロックの実際の個数を決定することは、リソースブロックの剰余を決定することであって、［リソースブロックの剰余］＝ｍｏｄ（（［ＢＷＰの初期リソースブロックのインデックス番号］＋［ＢＷＰに含まれるリソースブロックの総数］），［通常のチャネル状態情報サブバンドに含まれるリソースブロックの実際の個数］）である、決定することを含み、リソースブロックの剰余が０より多い場合、［チャネル状態情報報告バンドのＢＷＰに対応する、最後のチャネル状態情報サブバンドに含まれるリソースブロックの実際の個数］＝［リソースブロックの剰余］であり、又は、リソースブロックの剰余が０に等しい場合、［チャネル状態情報報告バンドのＢＷＰに対応する、最後のチャネル状態情報サブバンドに含まれるリソースブロックの実際の個数］＝［通常のチャネル状態情報サブバンドに含まれるリソースブロックの実際の個数］である。
【０１７７】
チャネル状態情報報告バンドのＣＳＩ−ＲＳバンド幅に対応する、最後のチャネル状態情報サブバンドに含まれるリソースブロックの実際の個数を決定することは、リソースブロックの剰余を決定することであって、［リソースブロックの剰余］＝ｍｏｄ（（［ＣＳＩ−ＲＳバンド幅の初期リソースブロックのインデックス番号］＋［ＣＳＩ−ＲＳバンド幅に含まれるリソースブロックの総数］），［通常のチャネル状態情報サブバンドに含まれるリソースブロックの実際の個数］）である、決定することを含み、リソースブロックの剰余が０より多い場合、［チャネル状態情報報告バンドのＣＳＩ−ＲＳバンド幅に対応する、最後のチャネル状態情報サブバンドに含まれるリソースブロックの実際の個数］＝［リソースブロックの剰余］であり、又は、リソースブロックの剰余が０に等しい場合、［チャネル状態情報報告バンドのＣＳＩ−ＲＳバンド幅に対応する、最後のチャネル状態情報サブバンドに含まれるリソースブロックの実際の個数］＝［通常のチャネル状態情報サブバンドに含まれるリソースブロックの実際の個数］である。
【０１７８】
通常のチャネル状態情報サブバンドに含まれるリソースブロックの実際の個数は、チャネル状態情報サブバンドに含まれるリソースブロックの最大個数に等しい。
【０１７９】
別の実装例において、送信側デバイスが受信側デバイスに送出する報告サブバンド設定情報はさらに、最初のチャネル状態情報サブバンド又は最後のチャネル状態情報サブバンドに含まれるリソースブロックの実際の個数を含み、受信側デバイスは、最初のチャネル状態情報サブバンド又は最後のチャネル状態情報サブバンドに含まれるリソースブロックの実際の個数と、チャネル状態情報サブバンドサイズとに基づいて、最初のチャネル状態情報サブバンド又は最後のチャネル状態情報サブバンドに含まれるリソースブロックのインデックス番号を決定する。
【０１８０】
さらに別の実装例において、受信側デバイスが送信側デバイスから受信する報告サブバンド設定情報はさらに、最初のチャネル状態情報サブバンド又は最後のチャネル状態情報サブバンドに含まれるリソースブロックの実際の個数を含み、受信側デバイスは、報告サブバンド設定情報とチャネル状態情報サブバンドサイズとに基づいて、最初のチャネル状態情報サブバンド又は最後のチャネル状態情報サブバンドに含まれる初期リソースブロックのインデックス番号を決定する。
【０１８１】
本発明の実施プロセスがさらに、実際の例を参照して以下で説明される。
［実施形態１］
【０１８２】
この実施形態は主に、ＣＣベースのＣＳＩ報告バンド設定インジケーション方法、及びサブバンドサイズの計算を説明する。
【０１８３】
この実施形態では、ＣＳＩ報告バンドを複数のＣＳＩサブバンドに分割することは、キャリアコンポーネント（ＣＣ）バンド幅全体に基づいている。開始サブバンドとも呼ばれる最初のチャネル状態情報サブバンド（最初のサブバンド）に含まれるＲＢの個数、及び終了サブバンドとも呼ばれる最後のチャネル状態情報サブバンド（最後のサブバンド）に含まれるＲＢの個数は、別々に決定する必要がある。
【０１８４】
段階１：表４に示すように、キャリアコンポーネント（ＣＣ）のバンド幅部分ＢＷＰ（ＰＲＢｓ）に基づいて、チャネル状態情報サブバンドサイズ（ＰＲＢｓ）を決定する。
【表４】
0006977920.tif 000005
【０１８５】
ＣＳＩサブバンドサイズ、すなわち、サブバンドに含まれ得るＲＢの最大個数が、ＢＷＰバンド幅ＢＷＢＷＰのリソースブロックの個数（ＲＢｓ）、例えば、ＰＲＢの個数に基づいて決定される。サブバンドサイズは、Ｘ個のＲＢ／サブバンドである。例えば、ＢＷＰバンド幅は、ＢＷＢＷＰ＝３２ＲＢであり、このＢＷＰバンド幅に対応するサブバンドサイズは、Ｘ＝４ＲＢ／サブバンドであるか、又は、ＢＷＰバンド幅は、ＢＷＢＷＰ＝３２ＲＢであり、このＢＷＰバンド幅に対応するサブバンドサイズは、Ｘ＝８ＲＢ／サブバンドである。
【０１８６】
別の実装例において、チャネル状態情報サブバンドサイズ（Ｓｕｂｂａｎｄ  Ｓｉｚｅ  （ＰＲＢｓ））は、ＢＷＢＷＰ内のリソースブロックの最小個数に設定されてよい。したがって、チャネル状態情報サブバンドの個数は、システムが許容する最大個数である。
【０１８７】
段階２：ＣＣバンド幅に基づいて、ＣＳＩサブバンドの個数を決定する。
【０１８８】
ＣＳＩサブバンド（ｓｕｂｂａｎｄ）の個数、すなわち、ＣＣバンド幅に含まれ得るサブバンドの最大個数が、ＣＣバンド幅ＢＷＣＣのＲＢの個数に基づいて決定される。サブバンドの個数は、Ｎ個のサブバンドである。
【数１】
0006977920.tif 000006
例えば、図７では、ＣＣバンド幅はＢＷＣＣ＝３５ＲＢであり、段階１で決定されたサブバンドサイズＸ＝４ＲＢ／サブバンドに基づいて、ＣＣバンド幅に対応するサブバンドの個数が次のように求められる。
【数２】
0006977920.tif 000007
【０１８９】
あるいは、図８に示すように、段階１で決定されたサブバンドサイズＸ＝８ＲＢ／サブバンドに基づいて、ＣＣバンド幅に対応するサブバンドの個数が次のように求められる。
【数３】
0006977920.tif 000008
【０１９０】
段階３：ＣＣバンド幅又はＢＷＰ又はＣＳＩ−ＲＳバンド幅と、周波数領域位置とに基づいて、ＣＳＩサブバンドに含まれるＲＢの個数を決定する。ＣＳＩサブバンドに含まれるＲＢの個数がＣＳＩ−ＲＳバンド幅に基づいて決定される一例を用いて、以下で説明が提供される。ＣＣバンド幅又はＢＷＰと、周波数領域位置とに基づいて、ＣＳＩサブバンドに含まれるＲＢの個数を決定することは、ＣＳＩ−ＲＳバンド幅に基づく場合と同様であり、詳細はここで再度説明しない。
【０１９１】
ＣＳＩ報告バンドでは、ＣＳＩ−ＲＳバンド幅に対応するチャネル状態情報サブバンドが、開始サブバンドとも呼ばれる最初のチャネル状態情報サブバンド、終了サブバンドとも呼ばれる最後のチャネル状態情報サブバンド、及び普通サブバンドとも呼ばれる通常のチャネル状態情報サブバンドを含む。
【０１９２】
開始サブバンドのＲＢの個数を決定する方法、及び終了サブバンドのＲＢの個数を決定する方法については、以下の通りである。
(RS BW>= 1 legacy subband size)//ＲＳバンド幅が通常のサブバンドサイズより大きいかそれに等しい
//開始サブバンドサイズを決定する//開始サブバンドサイズ（すなわち、開始サブバンドに含まれるリソースブロックの実際の個数）を決定する
starting subband size = legacy subband size - mod (initial RB index, legacy subband size)//［開始サブバンドサイズ］＝［通常のサブバンドサイズ（すなわち、通常のＣＳＩサブバンドに含まれるリソースブロックの実際の個数）］−ｍｏｄ（［ＣＳＩ−ＲＳバンド幅の初期リソースブロックのインデックス番号］，［通常のサブバンドサイズ］）
//終了サブバンドサイズ（すなわち、終了サブバンドに含まれるリソースブロックの実際の個数）を決定する
remainder = mod ((initial RB index + BW), legacy subband size)//［リソースブロックの剰余］＝ｍｏｄ（（［ＣＳＩ−ＲＳバンド幅の初期リソースブロックのインデックス番号］＋［ＣＳＩ−ＲＳバンド幅に含まれるリソースブロックの総数］），［通常のチャネル状態情報サブバンドサイズ］）;
(remainder > 0)//リソースブロックの剰余が０より多い場合
ending subband size = remainder//終了サブバンドサイズ（すなわち、［終了サブバンドに含まれるリソースブロックの実際の個数］＝［リソースブロックの剰余］;
else//そうでなければ
ending subband size = legacy subband size//［終了サブバンドサイズ（すなわち、終了サブバンドに含まれるリソースブロックの実際の個数）］＝［通常のチャネル状態情報サブバンドサイズ］
end//終了
Else//又は
… …
End//終了
例えば、図７では、ＣＳＩ−ＲＳ周波数バンドは（初期ＲＢインデックス＝０、ＣＳＩ−ＲＳ  ＢＷ＝２８）に設定され、サブバンド（サブバンドサイズは４ＲＢ）に含まれる以下のＲＢの個数は、前述の計算方法に基づいて次のように求められ得る。
・開始サブバンド：４ＲＢ−ｍｏｄ（０，４）＝４ＲＢ
・普通サブバンド：４ＲＢ
・終了サブバンド：ｍｏｄ（（０＋２８），４）＝４ＲＢ
【０１９３】
この実施形態では、ビットマップがチャネル状態情報報告バンド（ｒｅｐｏｒｔｉｎｇ  ｂａｎｄ）を示すのに用いられてよい。この実施形態では、チャネル状態情報報告バンドは、ＣＣバンド幅に基づいて設定される。したがって、ビットマップのビットの個数は、ＣＣバンド幅に含まれるサブバンドの個数と同じである。具体的には、ビットマップのビットの個数は９個である。ＣＳＩ−ＲＳバンド幅の初期ＲＢインデックスは０であり、リソースブロックの総数は２８ＲＢであり、ＣＳＩサブバンドサイズは４ＲＢであるため、ＣＳＩ−ＲＳバンド幅に含まれるサブバンドの個数は７個である。これは、ＣＣバンド幅に基づいて設定されたＣＳＩ報告バンドの末端にある２つのサブバンドがＣＳＩ−ＲＳバンド幅として設定されないことに相当する。したがって、ＣＳＩ報告バンドの末端にある２つのサブバンドは０に設定される。ＣＳＩ報告バンドにおいて、ＣＳＩ−ＲＳバンド幅に対応するＣＳＩサブバンドは最初の７つのＣＳＩサブバンドであり、その７つのＣＳＩサブバンドに対応するビットがｘを用いて表される。ｘが１に設定された場合、そのサブバンドは報告サブバンドとして用いられることを示す。又は、ｘが０に設定された場合、そのサブバンドは非報告サブバンドであることを示す。例えば、３番目のｘが０に設定されてよく、この場合、３番目のサブバンドが報告サブバンドとして使用されないことを示す。
【０１９４】
もちろん、ビットが０に設定されると、非報告サブバンドを示し、ビットが１に設定されると、報告サブバンドを示す。これは、単に１つの実装例にすぎない。これに基づいて当業者が作り出す変形例は全て、本出願の保護範囲に含まれる。あるいは、図８では、ＣＳＩ−ＲＳ周波数バンドは（初期ＲＢインデックス＝０、ＣＳＩ−ＲＳ  ＢＷ＝２８）に設定され、サブバンド（サブバンドサイズは８ＲＢ）に含まれる以下のＲＢの個数は、前述の計算方法に基づいて次のように求められ得る。
・開始サブバンド：８ＲＢ−ｍｏｄ（０，８）＝８ＲＢ
・普通サブバンド：８ＲＢ
・終了サブバンド：ｍｏｄ（（０＋２８），８）＝４ＲＢ
【０１９５】
この実施形態では、ビットマップがチャネル状態情報報告バンド（Ｒｅｐｏｒｔｉｎｇ  ｂａｎｄ）を示すのに用いられてよい。この実施形態では、チャネル状態情報報告バンドは、ＣＣバンド幅に基づいて設定される。したがって、ビットマップのビットの個数は、ＣＣバンド幅に含まれるサブバンドの個数と同じである。具体的には、ビットマップのビットの個数は５個である。ＣＳＩ−ＲＳバンド幅の初期ＲＢインデックスは０であり、リソースブロックの総数は２８ＲＢであり、ＣＳＩ−ＲＳバンド幅のＣＳＩサブバンドサイズは８ＲＢであるため、ＣＳＩ−ＲＳバンド幅のサブバンドの個数は４個である。これは、ＣＣバンド幅に基づいて設定されたＣＳＩ報告バンドの末端にある１つのサブバンドがＣＳＩ−ＲＳバンド幅として設定されないことに相当する。したがって、このサブバンドは０に設定される。ＣＳＩ報告バンドにおいて、ＣＳＩ−ＲＳバンド幅に対応するＣＳＩサブバンドは最初の４つのＣＳＩサブバンドであり、その４つのＣＳＩサブバンドに対応するビットがｘを用いて表される。ｘが１に設定された場合、そのサブバンドは報告サブバンドとして用いられることを示す。又は、ｘが０に設定された場合、そのサブバンドは非報告サブバンドであることを示す。
【０１９６】
もちろん、ビットが０に設定されると、非報告サブバンドを示し、ビットが１に設定されると、報告サブバンドを示す。これは、単に１つの実装例にすぎない。これに基づいて当業者が作り出す変形例は全て、本出願の保護範囲に含まれる。あるいは、図９では、ＣＳＩ−ＲＳ周波数バンドは（初期ＲＢインデックス＝４、ＣＳＩ−ＲＳ  ＢＷ＝２８）に設定され、サブバンド（サブバンドサイズは８ＲＢ）に含まれる以下のＲＢの個数は、前述の計算方法に基づいて次のように求められ得る。
・開始サブバンド：８ＲＢ−ｍｏｄ（４，８）＝４ＲＢ
・普通サブバンド：８ＲＢ
・終了サブバンド：８ＲＢ
【０１９７】
この実施形態では、ビットマップがチャネル状態情報報告バンド（Ｒｅｐｏｒｔｉｎｇ  ｂａｎｄ）を示すのに用いられてよい。この実施形態では、チャネル状態情報報告バンドは、ＣＣバンド幅に基づいて設定される。したがって、ビットマップのビットの個数は、ＣＣバンド幅に含まれるサブバンドの個数と同じである。具体的には、ビットマップのビットの個数は５個である。ＣＳＩ−ＲＳバンド幅の初期ＲＢインデックスは４であり、リソースブロックの総数は２８ＲＢであり、ＣＳＩ−ＲＳバンド幅のサブバンドサイズは８ＲＢであるため、ＣＳＩ−ＲＳバンド幅のサブバンドの個数は４個である。これは、ＣＣバンド幅に基づいて設定されたＣＳＩ報告バンドの末端にある１つのサブバンドがＣＳＩ−ＲＳバンド幅として設定されないことに相当する。したがって、このサブバンドは０に設定される。ＣＳＩ報告バンドにおいて、ＣＳＩ−ＲＳバンド幅に対応するＣＳＩサブバンドは最初の４つのＣＳＩサブバンドであり、その４つのＣＳＩサブバンドに対応するビットがｘを用いて表される。ｘが１に設定された場合、そのサブバンドは報告サブバンドとして用いられることを示す。又は、ｘが０に設定された場合、そのサブバンドは非報告サブバンドであることを示す。
【０１９８】
もちろん、ビットが０に設定されると、非報告サブバンドを示し、ビットが１に設定されると、報告サブバンドを示す。これは、単に１つの実装例にすぎない。これに基づいて当業者が作り出す変形例は全て、本出願の保護範囲に含まれる。
【０１９９】
本方法の有益な効果は、端末アドレス指定（絶対アドレス指定）の複雑さが、ＣＣ物理バンド幅の一様な設定に基づいて低下することである。
［実施形態２］
【０２００】
この実施形態は主に、ＢＷＰベースのＣＳＩ報告バンド設定インジケーション方法、及びサブバンドサイズの計算を説明する。
【０２０１】
この実施形態において、ＣＳＩ報告バンドを複数のＣＳＩサブバンドに分割することは、バンド幅部分（ＢＷＰ）に基づいている。開始サブバンドとも呼ばれる最初のチャネル状態情報サブバンド（最初のサブバンド）に含まれるＲＢの個数、及び終了サブバンド（最後のサブバンド）とも呼ばれる最後のチャネル状態情報サブバンドに含まれるＲＢの個数は、ＣＳＩ−ＲＳバンド幅に対応するＣＳＩサブバンドにおいて、別々に決定する必要がある。
【０２０２】
まず、チャネル状態情報サブバンドサイズ（ＰＲＢｓ）が、前述の表４に示すように、キャリアコンポーネント（ＣＣ）のバンド幅部分（ＰＲＢｓ）に基づいて決定される。
【０２０３】
ＣＳＩサブバンドサイズ、すなわち、サブバンドに含まれ得るＲＢの最大個数が、ＢＷＰバンド幅ＢＷＢＷＰのリソースブロックの個数（ＲＢｓ）、例えば、ＰＲＢの個数に基づいて決定される。サブバンドサイズは、Ｘ個のＲＢ／サブバンドである。例えば、ＢＷＰバンド幅は、ＢＷＢＷＰ＝３２ＲＢであり、このＢＷＰバンド幅に対応するサブバンドサイズは、Ｘ＝４ＲＢ／サブバンドであるか、又は、ＢＷＰバンド幅は、ＢＷＢＷＰ＝３２ＲＢであり、このＢＷＰバンド幅に対応するサブバンドサイズは、Ｘ＝８ＲＢ／サブバンドである。
【０２０４】
段階２：ＢＷＰに基づいて、ＣＳＩサブバンドの個数を決定する。
【０２０５】
ＣＳＩサブバンド（ｓｕｂｂａｎｄ）の個数、すなわち、ＢＷＰに含まれ得るサブバンドの最大個数が、ＢＷＰバンド幅ＢＷＢＷＰのＲＢの個数に基づいて決定される。サブバンドの個数は、Ｎ個のサブバンドである。
【数４】
0006977920.tif 000009
【０２０６】
例えば、図１０では、ＢＷＰはＢＷＢＷＰ＝３２ＲＢであり、段階１で決定されたサブバンドサイズＸ＝４ＲＢ／サブバンドに基づいて、ＢＷＰバンド幅に対応するサブバンドの個数が次のように求められる。
【数５】
0006977920.tif 000010
あるいは、図１１に示すように、段階１で決定されたサブバンドサイズＸ＝８ＲＢ／サブバンドに基づいて、ＢＷＰバンド幅に対応するサブバンドの個数が次のように求められる。
【数６】
0006977920.tif 000011
【０２０７】
段階３：ＣＣバンド幅又はＢＷＰ又はＣＳＩ−ＲＳバンド幅と、周波数領域位置とに基づいて、ＣＳＩサブバンドに含まれるＲＢの個数を決定する。ＣＳＩサブバンドに含まれるＲＢの個数がＣＳＩ−ＲＳバンド幅に基づいて決定される一例を用いて、説明が以下で提供される。ＣＣバンド幅又はＢＷＰと、周波数領域位置とに基づいて、ＣＳＩサブバンドに含まれるＲＢの個数を決定することは、ＣＳＩ−ＲＳバンド幅に基づく場合と同様であり、詳細はここで再度説明しない。ＣＳＩ報告バンドでは、ＣＳＩ−ＲＳバンド幅に対応するチャネル状態情報サブバンドが、開始サブバンドとも呼ばれる最初のチャネル状態情報サブバンド、終了サブバンドとも呼ばれる最後のチャネル状態情報サブバンド、及び普通サブバンドとも呼ばれる通常のチャネル状態情報サブバンドを含む。
【０２０８】
開始サブバンドのＲＢの個数を決定する方法、及び終了サブバンドのＲＢの個数を決定する方法については、以下の通りである。
(RS BW>= 1 legacy subband size)//ＲＳバンド幅が通常のサブバンドサイズより大きいかそれに等しい場合
//開始サブバンドサイズ（すなわち、開始サブバンドに含まれるリソースブロックの実際の個数）を決定する
starting subband size = legacy subband size - mod (initial RB index, legacy subband size)//［開始サブバンドサイズ］＝［通常のサブバンドサイズ（すなわち、通常のＣＳＩサブバンドに含まれるリソースブロックの実際の個数）］−ｍｏｄ（［ＣＳＩ−ＲＳバンド幅の初期リソースブロックのインデックス番号］，［通常のサブバンドサイズ］）
//終了サブバンドサイズ（すなわち、終了サブバンドに含まれるリソースブロックの実際の個数）を決定する
remainder = mod ((initial RB index + BW), legacy subband size)//［リソースブロックの剰余］＝ｍｏｄ（（［ＣＳＩ−ＲＳバンド幅の初期リソースブロックのインデックス番号］＋［ＣＳＩ−ＲＳバンド幅に含まれるリソースブロックの総数］），［通常のチャネル状態情報サブバンドサイズ］）;
(remainder > 0)//リソースブロックの剰余が０より多い場合
ending subband size = remainder//終了サブバンドサイズ（すなわち、［終了サブバンドに含まれるリソースブロックの実際の個数］＝［リソースブロックの剰余］;
else//そうでなければ
ending subband size = legacy subband size//［終了サブバンドサイズ（すなわち、終了サブバンドに含まれるリソースブロックの実際の個数）］＝［通常のチャネル状態情報サブバンドサイズ］
end//終了
Else//又は
… …
End//終了
例えば、図１０では、ＣＳＩ−ＲＳ周波数バンドは（初期ＲＢインデックス＝０、ＣＳＩ−ＲＳ  ＢＷ＝２８）に設定され、サブバンド（サブバンドサイズは４ＲＢ）に含まれる以下のＲＢの個数は、前述の計算方法に基づいて次のように求められ得る。
・開始サブバンド：４ＲＢ−ｍｏｄ（０，４）＝４ＲＢ
・普通サブバンド：４ＲＢ
・終了サブバンド：ｍｏｄ（（０＋２８），４）＝４ＲＢ
【０２０９】
この実施形態では、ビットマップがチャネル状態情報報告バンドを示すのに用いられてよい。この実施形態では、チャネル状態情報報告バンドは、ＢＷＰに基づいて設定される。したがって、ビットマップのビットの個数は、ＢＷＰに含まれるサブバンドの個数と同じである。具体的には、ビットマップのビットの個数は８個である。ＣＳＩ−ＲＳバンド幅の初期ＲＢインデックスは０であり、リソースブロックの総数は２８ＲＢであり、ＣＳＩ−ＲＳバンド幅のサブバンドサイズは４ＲＢであるため、ＣＳＩ−ＲＳバンド幅のサブバンドの個数は７個である。これは、ＢＷＰバンド幅に基づいて設定されたＣＳＩ報告バンドの末端にある１つのサブバンドがＣＳＩ−ＲＳバンド幅として設定されないことに相当する。したがって、ＣＳＩ報告バンドの末端にあるサブバンドは０に設定される。ＣＳＩ報告バンドにおいて、ＣＳＩ−ＲＳバンド幅に対応するＣＳＩサブバンドは最初の７つのＣＳＩサブバンドであり、その７つのＣＳＩサブバンドに対応するビットがｘを用いて表される。ｘが１に設定された場合、そのサブバンドは報告サブバンドとして用いられることを示す。又は、ｘが０に設定された場合、そのサブバンドは非報告サブバンドであることを示す。
【０２１０】
もちろん、ビットが０に設定されると、非報告サブバンドを示し、ビットが１に設定されると、報告サブバンドを示す。これは、単に１つの実装例にすぎない。これに基づいて当業者が作り出す変形例は全て、本出願の保護範囲に含まれる。あるいは、図１１では、ＣＳＩ−ＲＳ周波数バンドは（初期ＲＢインデックス＝０、ＣＳＩ−ＲＳ  ＢＷ＝２８）に設定され、サブバンド（サブバンドサイズは８ＲＢ）に含まれる以下のＲＢの個数は、前述の計算方法に基づいて次のように求められ得る。
・開始サブバンド：８ＲＢ−ｍｏｄ（０，８）＝８ＲＢ
・普通サブバンド：８ＲＢ
・終了サブバンド：ｍｏｄ（（０＋２８），８）＝４ＲＢ
【０２１１】
この実施形態では、ビットマップがチャネル状態情報報告バンドを示すのに用いられてよい。この実施形態では、チャネル状態情報報告バンドは、ＢＷＰに基づいて設定される。したがって、ビットマップのビットの個数は、ＢＷＰに含まれるサブバンドの個数と同じである。具体的には、ビットマップのビットの個数は４個である。ＣＳＩ−ＲＳバンド幅の初期ＲＢインデックスは０であり、リソースブロックの総数は２８ＲＢであり、ＣＳＩ−ＲＳバンド幅のサブバンドサイズは８ＲＢであるため、ＣＳＩ−ＲＳバンド幅のサブバンドの個数は４個である。ＣＳＩ報告バンドには、ＣＳＩ−ＲＳバンド幅に対応する４つのＣＳＩサブバンドがあり、その４つのＣＳＩサブバンドに対応するビットがｘを用いて表される。ｘが１に設定された場合、そのサブバンドは報告サブバンドとして用いられることを示す。又は、ｘが０に設定された場合、そのサブバンドは非報告サブバンドであることを示す。
【０２１２】
もちろん、ビットが０に設定されると、非報告サブバンドを示し、ビットが１に設定されると、報告サブバンドを示す。これは、単に１つの実装例にすぎない。これに基づいて当業者が作り出す変形例は全て、本出願の保護範囲に含まれる。あるいは、図１２では、ＣＳＩ−ＲＳ周波数バンドは（初期ＲＢインデックス＝４、ＣＳＩ−ＲＳ  ＢＷ＝２８）に設定され、サブバンド（サブバンドサイズは８ＲＢ）に含まれる以下のＲＢの個数は、前述の計算方法に基づいて次のように求められ得る。
・開始サブバンド：８ＲＢ−ｍｏｄ（４，８）＝４ＲＢ
・普通サブバンド：８ＲＢ
・終了サブバンド：８ＲＢ
【０２１３】
この実施形態では、ビットマップがチャネル状態情報報告バンドを示すのに用いられてよい。この実施形態では、チャネル状態情報報告バンドは、ＢＷＰに基づいて設定される。したがって、ビットマップのビットの個数は、ＢＷＰに含まれるサブバンドの個数と同じである。具体的には、ビットマップのビットの個数は４個である。ＣＳＩ−ＲＳバンド幅の初期ＲＢインデックスは４であり、リソースブロックの総数は２８ＲＢであり、ＣＳＩ−ＲＳバンド幅のサブバンドサイズは８ＲＢであるため、ＣＳＩ−ＲＳバンド幅のサブバンドの個数は４個である。ＣＳＩ報告バンドには、ＣＳＩ−ＲＳバンド幅に対応する４つのＣＳＩサブバンドがあり、その４つのＣＳＩサブバンドに対応するビットがｘを用いて表される。ｘが１に設定された場合、そのサブバンドは報告サブバンドとして用いられることを示す。又は、ｘが０に設定された場合、そのサブバンドは非報告サブバンドであることを示す。
【０２１４】
もちろん、ビットが０に設定されると、非報告サブバンドを示し、ビットが１に設定されると、報告サブバンドを示す。これは、単に１つの実装例にすぎない。これに基づいて当業者が作り出す変形例は全て、本出願の保護範囲に含まれる。
【０２１５】
実施形態２の有益な効果は、実施形態１と比較すると、ＢＷＰバンド幅の柔軟な設定に基づいて、少数のビットがＣＳＩサブバンド設定のために設定されることである。
［実施形態３］
【０２１６】
この実施形態は主に、ＣＳＩ−ＲＳベースのＣＳＩ報告バンド設定インジケーション方法、及びサブバンドサイズの計算を説明する。
【０２１７】
この実施形態において、ＣＳＩ報告バンドを複数のＣＳＩサブバンドに分割することは、ＣＳＩ−ＲＳバンドに基づいている。開始サブバンドとも呼ばれる最初のチャネル状態情報サブバンド（最初のサブバンド）に含まれるＲＢの個数、及び終了サブバンドとも呼ばれる最後のチャネル状態情報サブバンド（最後のサブバンド）に含まれるＲＢの個数は、ＣＳＩ報告バンドのＣＳＩ−ＲＳバンド幅に対応するＣＳＩサブバンドにおいて、別々に決定する必要がある。
【０２１８】
まず、チャネル状態情報サブバンドサイズ（ＰＲＢｓ）が、前述の表４に示すように、キャリアコンポーネント（ＣＣ）のバンド幅部分（ＰＲＢｓ）に基づいて決定される。
【０２１９】
ＣＳＩサブバンドサイズ、すなわち、サブバンドに含まれ得るＲＢの最大個数が、ＢＷＰバンド幅ＢＷＢＷＰのリソースブロックの個数（ＲＢｓ）、例えば、ＰＲＢの個数に基づいて決定される。サブバンドサイズは、Ｘ個のＲＢ／サブバンドである。例えば、ＢＷＰバンド幅は、ＢＷＢＷＰ＝３２ＲＢであり、このＢＷＰバンド幅に対応するサブバンドサイズは、Ｘ＝４ＲＢ／サブバンドであるか、又は、ＢＷＰバンド幅は、ＢＷＢＷＰ＝３２ＲＢであり、このＢＷＰバンド幅に対応するサブバンドサイズは、Ｘ＝８ＲＢ／サブバンドである。
【０２２０】
段階２：ＣＳＩ−ＲＳバンド幅に基づいて、ＣＳＩサブバンドの個数を決定する。
【０２２１】
ＣＳＩサブバンド（ｓｕｂｂａｎｄ）の個数、すなわち、ＣＳＩ−ＲＳバンド幅に含まれ得るサブバンドの最大個数が、ＣＳＩ−ＲＳバンド幅のＲＢの個数に基づいて決定される。サブバンドの個数は、Ｎ個のサブバンドである。
【数７】
0006977920.tif 000012
例えば、図１３では、ＣＳＩ−ＲＳバンド幅はＢＷＢＷＰ＝２８ＲＢであり、段階１で決定されたサブバンドサイズＸ＝４ＲＢ／サブバンドに基づいて、ＣＳＩ−ＲＳバンド幅に対応するサブバンドの個数が次のように求められる。
【数８】
0006977920.tif 000013
あるいは、図１４に示すように、段階１で決定されたサブバンドサイズＸ＝８ＲＢ／サブバンドに基づいて、ＣＳＩ−ＲＳバンド幅に対応するサブバンドの個数が次のように求められる。
【数９】
0006977920.tif 000014
【０２２２】
段階３：ＣＣバンド幅又はＢＷＰ又はＣＳＩ−ＲＳバンド幅と、周波数領域位置とに基づいて、ＣＳＩサブバンドに含まれるＲＢの個数を決定する。ＣＳＩサブバンドに含まれるＲＢの個数がＣＳＩ−ＲＳバンド幅に基づいて決定される一例を用いて、説明が以下で提供される。ＣＣバンド幅又はＢＷＰと、周波数領域位置とに基づいて、ＣＳＩサブバンドに含まれるＲＢの個数を決定することは、ＣＳＩ−ＲＳバンド幅に基づく場合と同様であり、詳細はここで再度説明しない。
【０２２３】
ＣＳＩ報告バンドでは、ＣＳＩ−ＲＳバンド幅に対応するＣＳＩサブバンドが、開始サブバンドとも呼ばれる最初のチャネル状態情報サブバンド、終了サブバンドとも呼ばれる最後のチャネル状態情報サブバンド、及び普通サブバンドとも呼ばれる通常のチャネル状態情報サブバンドを含む。
【０２２４】
開始サブバンドのＲＢの個数を決定する方法、及び終了サブバンドのＲＢの個数を決定する方法については、以下の通りである。
(RS BW>= 1 legacy subband size)//ＲＳバンド幅が通常のサブバンドサイズより大きいかそれに等しい場合
//開始サブバンドサイズ（すなわち、開始サブバンドに含まれるリソースブロックの実際の個数）を決定する
starting subband size = legacy subband size - mod (initial RB index, legacy subband size)//［開始サブバンドサイズ］＝［通常のサブバンドサイズ（すなわち、通常のＣＳＩサブバンドに含まれるリソースブロックの実際の個数）］−ｍｏｄ（［ＣＳＩ−ＲＳバンド幅の初期リソースブロックのインデックス番号］，［通常のサブバンドサイズ］）
//終了サブバンドサイズ（すなわち、終了サブバンドに含まれるリソースブロックの実際の個数）を決定する
remainder = mod ((initial RB index + BW), legacy subband size)//［リソースブロックの剰余］＝ｍｏｄ（（［ＣＳＩ−ＲＳバンド幅の初期リソースブロックのインデックス番号］＋［ＣＳＩ−ＲＳバンド幅のリソースブロックの総数］），［通常のチャネル状態情報サブバンドサイズ］）;
(remainder > 0)//リソースブロックの剰余が０より多い場合
ending subband size = remainder//終了サブバンドサイズ（すなわち、［終了サブバンドに含まれるリソースブロックの実際の個数］＝［リソースブロックの剰余］;
else//そうでなければ
ending subband size = legacy subband size//［終了サブバンドサイズ（すなわち、終了サブバンドに含まれるリソースブロックの実際の個数）］＝［通常のチャネル状態情報サブバンドサイズ］
end//終了
Else//又は
… …
End//終了
例えば、図１３では、ＣＳＩ−ＲＳ周波数バンドは（初期ＲＢインデックス＝０、ＣＳＩ−ＲＳ  ＢＷ＝２８）に設定され、サブバンド（サブバンドサイズ４ＲＢ）に含まれる以下のＲＢの個数は、前述の計算方法に基づいて次のように求められ得る。
・開始サブバンド：４ＲＢ−ｍｏｄ（０，４）＝４ＲＢ
・普通サブバンド：４ＲＢ
・終了サブバンド：ｍｏｄ（（０＋２８），４）＝４ＲＢ
【０２２５】
この実施形態では、ビットマップがチャネル状態情報報告バンドを示すのに用いられてよい。この実施形態では、チャネル状態情報報告バンドは、ＣＳＩ−ＲＳバンド幅に基づいて設定される。したがって、ビットマップのビットの個数は、ＣＳＩ−ＲＳバンド幅に含まれるサブバンドの個数と同じである。具体的には、ビットマップのビットの個数は７個である。ＣＳＩ報告バンドにおいて、ＣＳＩ−ＲＳバンド幅に対応するＣＳＩサブバンドは７つあり、その７つのＣＳＩサブバンドに対応するビットがｘを用いて表される。ｘが１に設定された場合、そのサブバンドは報告サブバンドとして用いられることを示す。又は、ｘが０に設定された場合、そのサブバンドは非報告サブバンドであることを示す。
【０２２６】
もちろん、ビットが０に設定されると、非報告サブバンドを示し、ビットが１に設定されると、報告サブバンドを示す。これは、単に１つの実装例にすぎない。これに基づいて当業者が作り出す変形例は全て、本出願の保護範囲に含まれる。あるいは、図１４では、ＣＳＩ−ＲＳ周波数バンドは（初期ＲＢインデックス＝０、ＣＳＩ−ＲＳ  ＢＷ＝２８）に設定され、サブバンド（サブバンドサイズは８ＲＢ）に含まれる以下のＲＢの個数は、前述の計算方法に基づいて次のように求められ得る。
・開始サブバンド：８ＲＢ−ｍｏｄ（０，８）＝８ＲＢ
・普通サブバンド：８ＲＢ
・終了サブバンド：ｍｏｄ（（０＋２８），８）＝４ＲＢ
【０２２７】
この実施形態では、ビットマップがチャネル状態情報報告バンド（Ｒｅｐｏｒｔｉｎｇ  ｂａｎｄ）を示すのに用いられてよい。この実施形態では、チャネル状態情報報告バンドは、ＣＳＩ−ＲＳバンド幅に基づいて設定される。したがって、ビットマップのビットの個数は、ＣＳＩ−ＲＳバンド幅に含まれるサブバンドの個数と同じである。具体的には、ビットマップのビットの個数は４個である。ＣＳＩ報告バンドにおいて、ＣＳＩ−ＲＳバンド幅に対応するＣＳＩサブバンドは４つあり、その４つのＣＳＩサブバンドに対応するビットがｘを用いて表される。ｘが１に設定された場合、そのサブバンドは報告サブバンドとして用いられることを示す。又は、ｘが０に設定された場合、そのサブバンドは非報告サブバンドであることを示す。
【０２２８】
もちろん、ビットが０に設定されると、非報告サブバンドを示し、ビットが１に設定されると、報告サブバンドを示す。これは、単に１つの実装例にすぎない。これに基づいて当業者が作り出す変形例は全て、本出願の保護範囲に含まれる。あるいは、図１５では、ＣＳＩ−ＲＳ周波数バンドは（初期ＲＢインデックス＝４、ＣＳＩ−ＲＳ  ＢＷ＝２８）に設定され、サブバンド（サブバンドサイズは８ＲＢ）に含まれる以下のＲＢの個数は、前述の計算方法に基づいて次のように求められ得る。
・開始サブバンド：８ＲＢ−ｍｏｄ（４，８）＝４ＲＢ
・普通サブバンド：８ＲＢ
・終了サブバンド：８ＲＢ
【０２２９】
この実施形態では、ビットマップがチャネル状態情報報告バンド（Ｒｅｐｏｒｔｉｎｇ  ｂａｎｄ）を示すのに用いられてよい。この実施形態では、チャネル状態情報報告バンドは、ＣＳＩ−ＲＳバンド幅に基づいて設定される。したがって、ビットマップのビットの個数は、ＣＳＩ−ＲＳバンド幅に含まれるサブバンドの個数と同じである。具体的には、ビットマップのビットの個数は４個である。ＣＳＩ報告バンドにおいて、ＣＳＩ−ＲＳバンド幅に対応するＣＳＩサブバンドは４つあり、その４つのＣＳＩサブバンドに対応するビットがｘを用いて表される。ｘが１に設定された場合、そのサブバンドは報告サブバンドとして用いられることを示す。又は、ｘが０に設定された場合、そのサブバンドは非報告サブバンドであることを示す。
【０２３０】
もちろん、ビットが０に設定されると、非報告サブバンドを示し、ビットが１に設定されると、報告サブバンドを示す。これは、単に１つの実装例にすぎない。これに基づいて当業者が作り出す変形例は全て、本出願の保護範囲に含まれる。
【０２３１】
本方法の有益な効果は、実施形態２と比較すると、ＣＳＩ−ＲＳバンド幅の柔軟な設定に基づいて、少数のビットがＣＳＩ報告バンド設定のために設定されることである。
【０２３２】
前述の実施形態の全て又は一部は、ソフトウェア、ハードウェア、ファームウェア、又はこれらの組み合わせを用いて実現されてよい。実施形態を実現するのにソフトウェアが用いられる場合、これらの実施形態の全て又は一部が、コンピュータプログラム製品の形態で実現されてよい。コンピュータプログラム製品は、１つ又は複数のコンピュータ命令を含む。コンピュータプログラム命令がコンピュータに読み込まれて実行されると、本発明の実施形態による手順又は機能の全て又は一部が生み出される。コンピュータは、汎用コンピュータ、専用コンピュータ、コンピュータネットワーク、又は別のプログラム可能な装置であってよい。コンピュータ命令は、コンピュータ可読記憶媒体に格納されてもよく、又は、あるコンピュータ可読記憶媒体から別のコンピュータ可読記憶媒体に転送されてもよい。例えば、コンピュータ命令は、あるウェブサイト、コンピュータ、サーバ、又はデータセンターから、別のウェブサイト、コンピュータ、サーバ、又はデータセンターに、有線方式（例えば、同軸ケーブル、光ファイバ、又はデジタル加入者回線（ＤＳＬ））又は無線方式（例えば、赤外線、電波、又はマイクロ波）で転送されてよい。コンピュータ可読記憶媒体は、コンピュータがアクセス可能な任意の使用可能な媒体であっても、又は１つ若しくは複数の使用可能な媒体を統合したサーバ若しくはデータセンターなどのデータ記憶装置であってもよい。使用可能な媒体は、磁気媒体（フロッピーディスク、ハードディスク、又は磁気テープなど）、光媒体（ＤＶＤなど）、又は半導体媒体（ソリッドステートディスクＳｏｌｉｄ  Ｓｔａｔｅ  Ｄｉｓｋ  （ＳＳＤ）など）などであってよい。
【０２３３】
最後に、前述の説明は単に本発明の実施形態にすぎず、本発明の保護範囲の限定を意図するものではない。本発明の趣旨及び原理から逸脱することなく行われる、あらゆる修正、均等な置き換え、又は改善は、本発明の保護範囲に含まれることになる。
（項目１）
チャネル状態情報報告バンドを設定する方法であって、
バンド幅部分ＢＷＰに基づいてチャネル状態情報サブバンドサイズを決定する段階と、
キャリアバンド幅ＣＣ又は上記バンド幅部分ＢＷＰ又はチャネル状態情報参照信号ＣＳＩ−ＲＳバンド幅と、上記チャネル状態情報サブバンドサイズとに基づいて、チャネル状態情報報告バンドに含まれるチャネル状態情報サブバンドの個数を決定する段階と
を備える方法。
（項目２）
プロセッサとインタフェースとを備える送信側デバイスであって、
上記プロセッサは、バンド幅部分ＢＷＰに基づいてチャネル状態情報サブバンドサイズを決定するように構成され、
上記プロセッサはさらに、キャリアバンド幅ＣＣ又は上記バンド幅部分ＢＷＰ又はチャネル状態情報参照信号ＣＳＩ−ＲＳバンド幅と、上記チャネル状態情報サブバンドサイズとに基づいて、チャネル状態情報報告バンドに含まれるチャネル状態情報サブバンドの個数を決定するように構成される、送信側デバイス。
（項目３）
プロセッサとインタフェースとを備える送信側デバイスであって、
上記処理ユニットは、バンド幅部分ＢＷＰに基づいてチャネル状態情報サブバンドサイズを決定するように構成され、
上記処理ユニットはさらに、キャリアバンド幅ＣＣ又は上記バンド幅部分ＢＷＰ又はチャネル状態情報参照信号ＣＳＩ−ＲＳバンド幅と、上記チャネル状態情報サブバンドサイズとに基づいて、チャネル状態情報報告バンドに含まれるチャネル状態情報サブバンドの個数を決定するように構成される、送信側デバイス。
（項目４）
チャネル状態情報報告バンドに含まれるチャネル状態情報サブバンドの個数を決定する上記段階の後に、上記方法は、
上記チャネル状態情報サブバンドのうちの報告サブバンド又は非報告サブバンドを示す報告サブバンド設定情報を受信側デバイスに送出する段階を備え、
上記報告サブバンド設定情報は情報ビットを用いて表され、情報ビットの個数は上記チャネル状態情報報告バンドに含まれる上記チャネル状態情報サブバンドの個数と同じである、
項目１に記載の方法又は項目２若しくは３に記載の送信側デバイス。
（項目５）
上記チャネル状態情報サブバンドサイズは、上記チャネル状態情報サブバンドに含まれるリソースブロックの最大個数である、項目１に記載の方法又は項目２若しくは３に記載の送信側デバイス。
（項目６）
キャリアバンド幅ＣＣ又は上記バンド幅部分ＢＷＰ又はチャネル状態情報参照信号ＣＳＩ−ＲＳバンド幅と、上記チャネル状態情報サブバンドサイズとに基づいて、チャネル状態情報報告バンドに含まれるチャネル状態情報サブバンドの個数を決定する上記段階は、
上記キャリアバンド幅ＣＣに含まれるリソースブロックの総数を上記チャネル状態情報サブバンドサイズで除算し、次に、上記除算の結果より大きいかそれに等しい最小の整数を計算して、上記チャネル状態情報報告バンドに含まれる上記チャネル状態情報サブバンドの個数を求める段階、又は、
上記バンド幅部分ＢＷＰに含まれるリソースブロックの総数を上記チャネル状態情報サブバンドサイズで除算し、次に、上記除算の結果より大きいかそれに等しい最小の整数を計算して、上記チャネル状態情報報告バンドに含まれる上記チャネル状態情報サブバンドの個数を求める段階、又は、
上記チャネル状態情報参照信号ＣＳＩ−ＲＳバンド幅に含まれるリソースブロックの総数を上記チャネル状態情報サブバンドサイズで除算し、次に、上記除算の結果より大きいかそれに等しい最小の整数を計算して、上記チャネル状態情報報告バンドに含まれる上記チャネル状態情報サブバンドの個数を求める段階を含む、項目５に記載の方法又は送信側デバイス。
（項目７）
上記チャネル状態情報サブバンドは、最初のチャネル状態情報サブバンド、最後のチャネル状態情報サブバンド、及び通常のチャネル状態情報サブバンドを含み、
上記方法はさらに、上記最初のチャネル状態情報サブバンドに含まれるリソースブロックの実際の個数と、上記最後のチャネル状態情報サブバンドに含まれるリソースブロックの実際の個数とを決定する段階を備える、項目５に記載の方法又は送信側デバイス。
（項目８）
上記最初のチャネル状態情報サブバンドに含まれるリソースブロックの実際の個数を決定する上記段階は、
［上記最初のチャネル状態情報サブバンドに含まれる上記リソースブロックの実際の個数］＝［上記通常のチャネル状態情報サブバンドに含まれるリソースブロックの実際の個数］−ｍｏｄ（［ＣＣの初期リソースブロックのインデックス番号］，［上記通常のチャネル状態情報サブバンドに含まれる上記リソースブロックの実際の個数］）であると決定する段階、又は、
［上記最初のチャネル状態情報サブバンドに含まれる上記リソースブロックの実際の個数］＝［上記通常のチャネル状態情報サブバンドに含まれるリソースブロックの実際の個数］−ｍｏｄ（［上記ＢＷＰの初期リソースブロックのインデックス番号］，［上記通常のチャネル状態情報サブバンドに含まれる上記リソースブロックの実際の個数］）であると決定する段階、又は、
［上記最初のチャネル状態情報サブバンドに含まれる上記リソースブロックの実際の個数］＝［上記通常のチャネル状態情報サブバンドに含まれるリソースブロックの実際の個数］−ｍｏｄ（［ＣＳＩ−ＲＳの初期リソースブロックのインデックス番号］，［上記通常のチャネル状態情報サブバンドに含まれる上記リソースブロックの実際の個数］）であると決定する段階を含み、
上記最初のチャネル状態情報サブバンドに含まれる上記リソースブロックの実際の個数は、上記通常のチャネル状態情報サブバンドに含まれる上記リソースブロックの実際の個数より少ないかそれに等しい、項目７に記載の方法又は送信側デバイス。
（項目９）
上記最後のチャネル状態情報サブバンドに含まれるリソースブロックの実際の個数を決定する上記段階は、
リソースブロックの剰余を決定する段階であって、［上記リソースブロックの剰余］＝ｍｏｄ（（［上記ＣＣの上記初期リソースブロックの上記インデックス番号］＋［上記ＣＣバンド幅に含まれるリソースブロックの総数］），［上記通常のチャネル状態情報サブバンドに含まれるリソースブロックの実際の個数］）である、段階、又は、
リソースブロックの剰余を決定する段階であって、［上記リソースブロックの剰余］＝ｍｏｄ（（［上記ＢＷＰの上記初期リソースブロックの上記インデックス番号］＋［上記ＢＷＰに含まれるリソースブロックの総数］），［上記通常のチャネル状態情報サブバンドに含まれるリソースブロックの実際の個数］）である、段階、又は、
リソースブロックの剰余を決定する段階であって、［上記リソースブロックの剰余］＝ｍｏｄ（（［ＣＳＩ−ＲＳバンド幅の上記初期リソースブロックの上記インデックス番号］＋［上記ＣＳＩ−ＲＳに含まれるリソースブロックの総数］），［上記通常のチャネル状態情報サブバンドに含まれる上記リソースブロックの実際の個数］）である、段階を含み、
上記リソースブロックの剰余が０より多い場合、［上記最後のチャネル状態情報サブバンドに含まれる上記リソースブロックの実際の個数］＝［上記リソースブロックの剰余］であり、又は、
上記リソースブロックの剰余が０に等しい場合、［上記最後のチャネル状態情報サブバンドに含まれる上記リソースブロックの実際の個数］＝［上記通常のチャネル状態情報サブバンドに含まれる上記リソースブロックの実際の個数］である、項目７に記載の方法又は送信側デバイス。
（項目１０）
上記最初のチャネル状態情報サブバンドに含まれる上記リソースブロックの実際の個数と、上記最後のチャネル状態情報サブバンドに含まれる上記リソースブロックの実際の個数とを、インジケーション情報を用いて送出する段階をさらに備える、項目８又は９に記載の方法又は送信側デバイス。
（項目１１）
上記通常のチャネル状態情報サブバンドに含まれる上記リソースブロックの実際の個数が、上記チャネル状態情報サブバンドに含まれる上記リソースブロックの最大個数に等しいと決定する段階をさらに備える、項目７から１０のいずれか一項に記載の方法又は送信側デバイス。
（項目１２）
チャネル状態情報報告バンドを設定する方法であって、
チャネル状態情報サブバンドを示し、送信側デバイスにより送出される、報告サブバンド設定情報を受信する段階であって、上記報告サブバンド設定情報は、上記チャネル状態情報サブバンドが報告サブバンドであるか又は非報告サブバンドであるかを示し、上記チャネル状態情報サブバンドは上記チャネル状態情報報告バンドに属する、段階と、
上記報告サブバンド設定情報に基づいて、チャネル状態情報サブバンドの個数を決定する段階と
を備える方法。
（項目１３）
チャネル状態情報サブバンドを示し、ネットワークデバイスにより送出される、報告サブバンド設定情報を受信するように構成された送受信機であって、上記報告サブバンド設定情報は、各チャネル状態情報サブバンドが報告サブバンドであるか又は非報告サブバンドであるかを示し、上記チャネル状態情報サブバンドは上記チャネル状態情報報告バンドに属する、送受信機と、
上記報告サブバンド設定情報に基づいて、上記チャネル状態情報報告バンドに含まれるチャネル状態情報サブバンドの個数を決定するように構成されたプロセッサと
を備える受信側デバイス。
（項目１４）
チャネル状態情報サブバンドを示し、ネットワークデバイスにより送出される、報告サブバンド設定情報を受信するように構成された送受信機ユニットであって、上記報告サブバンド設定情報は、各チャネル状態情報サブバンドが報告サブバンドであるか又は非報告サブバンドであるかを示し、上記チャネル状態情報サブバンドは上記チャネル状態情報報告バンドに属する、送受信機ユニットと、
上記報告サブバンド設定情報に基づいて、上記チャネル状態情報報告バンドに含まれるチャネル状態情報サブバンドの個数を決定するように構成された処理ユニットと
を備える受信側デバイス。
（項目１５）
上記報告サブバンド設定情報は情報ビットを用いて表され、情報ビットの個数は、上記チャネル状態情報報告バンドに含まれる上記チャネル状態情報サブバンドの個数と同じであり、
上記報告サブバンド設定情報に基づいて、上記チャネル状態情報報告バンドに含まれるチャネル状態情報サブバンドの個数を決定する上記段階は、
上記情報ビットの個数に基づいて、上記チャネル状態情報報告バンドに含まれる上記チャネル状態情報サブバンドの個数を決定する段階を含む、項目１２に記載の方法又は項目１３若しくは１４に記載の受信側デバイス。
（項目１６）
上記報告サブバンド設定情報はチャネル状態情報サブバンドサイズを含み、
上記報告サブバンド設定情報に基づいて、上記チャネル状態情報報告バンドに含まれるチャネル状態情報サブバンドの個数を決定する上記段階は、
キャリアバンド幅ＣＣ又はバンド幅部分ＢＷＰ又はチャネル状態情報参照信号ＣＳＩ−ＲＳバンド幅と、上記チャネル状態情報サブバンドサイズとに基づいて、上記チャネル状態情報報告バンドに含まれる上記チャネル状態情報サブバンドの個数を決定する段階を含む、項目１２に記載の方法又は項目１３若しくは１４に記載の受信側デバイス。
（項目１７）
上記チャネル状態情報サブバンドサイズは、上記チャネル状態情報サブバンドに含まれるリソースブロックの最大個数である、項目１６に記載の方法又は受信側デバイス。
（項目１８）
キャリアバンド幅ＣＣ又はバンド幅部分ＢＷＰ又はチャネル状態情報参照信号ＣＳＩ−ＲＳバンド幅と、上記チャネル状態情報サブバンドサイズとに基づいて、上記チャネル状態情報報告バンドに含まれる上記チャネル状態情報サブバンドの個数を決定する上記段階は、
上記キャリアバンド幅ＣＣに含まれるリソースブロックの総数を上記チャネル状態情報サブバンドサイズで除算し、次に、上記除算の結果より大きいかそれに等しい最小の整数を計算して、上記チャネル状態情報報告バンドに含まれる上記チャネル状態情報サブバンドの個数を求める段階、又は、
上記バンド幅部分ＢＷＰに含まれるリソースブロックの総数を上記チャネル状態情報サブバンドサイズで除算し、次に、上記除算の結果より大きいかそれに等しい最小の整数を計算して、上記チャネル状態情報報告バンドに含まれる上記チャネル状態情報サブバンドの個数を求める段階、又は、
上記チャネル状態情報参照信号ＣＳＩ−ＲＳバンド幅に含まれるリソースブロックの総数を上記チャネル状態情報サブバンドサイズで除算し、次に、上記除算の結果より大きいかそれに等しい最小の整数を計算して、上記チャネル状態情報報告バンドに含まれる上記チャネル状態情報サブバンドの個数を求める段階を含む、項目１７に記載の方法又は受信側デバイス。
（項目１９）
上記チャネル状態情報サブバンドは、最初のチャネル状態情報サブバンド、最後のチャネル状態情報サブバンド、及び通常のチャネル状態情報サブバンドを含み、
上記方法はさらに、上記最初のチャネル状態情報サブバンドに含まれるリソースブロックの実際の個数と、上記最後のチャネル状態情報サブバンドに含まれるリソースブロックの実際の個数とを決定する段階を備える、項目１５又は１６に記載の方法又は受信側デバイス。
（項目２０）
上記最初のチャネル状態情報サブバンドに含まれるリソースブロックの実際の個数を決定する上記段階は、
［上記最初のチャネル状態情報サブバンドに含まれる上記リソースブロックの個数］＝［上記通常のチャネル状態情報サブバンドに含まれるリソースブロックの実際の個数］−ｍｏｄ（［ＣＣの初期リソースブロックのインデックス番号］，［上記通常のチャネル状態情報サブバンドに含まれる上記リソースブロックの実際の個数］）であると決定する段階、又は、
［上記最初のチャネル状態情報サブバンドに含まれる上記リソースブロックの実際の個数］＝［上記通常のチャネル状態情報サブバンドに含まれるリソースブロックの実際の個数］−ｍｏｄ（［上記ＢＷＰの初期リソースブロックのインデックス番号］，［上記通常のチャネル状態情報サブバンドに含まれる上記リソースブロックの実際の個数］）であると決定する段階、又は、
［上記最初のチャネル状態情報サブバンドに含まれる上記リソースブロックの実際の個数］＝［上記通常のチャネル状態情報サブバンドに含まれるリソースブロックの実際の個数］−ｍｏｄ（［ＣＳＩ−ＲＳの初期リソースブロックのインデックス番号］，［上記通常のチャネル状態情報サブバンドに含まれる上記リソースブロックの実際の個数］）であると決定する段階を含み、
上記最初のチャネル状態情報サブバンドに含まれる上記リソースブロックの実際の個数は、上記通常のチャネル状態情報サブバンドに含まれる上記リソースブロックの実際の個数より少ないかそれに等しい、項目１９に記載の方法又は受信側デバイス。
（項目２１）
上記最後のチャネル状態情報サブバンドに含まれるリソースブロックの実際の個数を決定する上記段階は、
リソースブロックの剰余を決定する段階であって、［上記リソースブロックの剰余］＝ｍｏｄ（（［上記ＣＣの上記初期リソースブロックの上記インデックス番号］＋［上記ＣＣバンド幅に含まれるリソースブロックの総数］），［上記通常のチャネル状態情報サブバンドに含まれるリソースブロックの実際の個数］）である、段階、又は、
リソースブロックの剰余を決定する段階であって、［上記リソースブロックの剰余］＝ｍｏｄ（（［上記ＢＷＰの上記初期リソースブロックの上記インデックス番号］＋［上記ＢＷＰに含まれるリソースブロックの総数］），［上記通常のチャネル状態情報サブバンドに含まれるリソースブロックの実際の個数］）である、段階、又は、
リソースブロックの剰余を決定する段階であって、［上記リソースブロックの剰余］＝ｍｏｄ（（［上記ＣＳＩ−ＲＳの上記初期リソースブロックの上記インデックス番号］＋［上記ＣＳＩ−ＲＳバンド幅に含まれるリソースブロックの総数］），［上記通常のチャネル状態情報サブバンドに含まれるリソースブロックの実際の個数］）である、段階を含み、
上記リソースブロックの剰余が０より多い場合、［上記最後のチャネル状態情報サブバンドに含まれる上記リソースブロックの実際の個数］＝［上記リソースブロックの剰余］であり、又は、
上記リソースブロックの剰余が０に等しい場合、［上記最後のチャネル状態情報サブバンドに含まれる上記リソースブロックの実際の個数］＝［上記通常のチャネル状態情報サブバンドに含まれる上記リソースブロックの実際の個数］である、項目１９に記載の方法又は受信側デバイス。
（項目２２）
上記報告サブバンド設定情報はさらに、上記最初のチャネル状態情報サブバンド又は上記最後のチャネル状態情報サブバンドに含まれる上記リソースブロックの実際の個数を含み、
上記端末は、上記最初のチャネル状態情報サブバンド又は上記最後のチャネル状態情報サブバンドに含まれる上記リソースブロックの実際の個数と、上記チャネル状態情報サブバンドサイズとに基づいて、上記最初のチャネル状態情報サブバンド又は上記最後のチャネル状態情報サブバンドに含まれる上記リソースブロックのインデックス番号を決定する、項目１９に記載の方法又は受信側デバイス。
（項目２３）
上記通常のチャネル状態情報サブバンドに含まれる上記リソースブロックの実際の個数は、上記チャネル状態情報サブバンドに含まれるリソースブロックの最大個数に等しい、項目１９から２２のいずれか一項に記載の方法又は受信側デバイス。
（項目２４）
コンピュータプログラムをメモリから呼び出し、上記コンピュータプログラムを実行するように構成されたプロセッサを備えるチップであって、上記チップが組み込まれたデバイスは、項目１、項目４から１１、項目１２、及び項目１５から２３のいずれか一項に記載の方法を実行する、チップ。
（項目２５）
コンピュータプログラムを格納したコンピュータ可読記憶媒体であって、上記コンピュータプログラムがコンピュータで実行されると、上記コンピュータは、項目１、項目４から１１、項目１２、及び項目１５から２３のいずれか一項に記載の方法を実現する、コンピュータ可読記憶媒体。
（項目２６）
命令を含むコンピュータプログラム製品であって、上記命令がコンピュータで実行されると、上記コンピュータは、項目１、項目４から１１、項目１２、及び項目１５から２３のいずれか一項に記載の方法を実現する、コンピュータプログラム製品。
（項目２７）
項目２から１１のいずれか一項に記載の送信側デバイスと、項目１３から２３のいずれか一項に記載の受信側デバイスとを備える、通信システム。
【図１】
0006977920.tif 000015
【図２】
0006977920.tif 000016
【図３】
0006977920.tif 000017
【図４】
0006977920.tif 000018
【図５】
0006977920.tif 000019
【図６】
0006977920.tif 000020
【図７】
0006977920.tif 000021
【図８】
0006977920.tif 000022
【図９】
0006977920.tif 000023
【図１０】
0006977920.tif 000024
【図１１】
0006977920.tif 000025
【図１２】
0006977920.tif 000026
【図１３】
0006977920.tif 000027
【図１４】
0006977920.tif 000028
【図１５】
0006977920.tif 000029